(57)【要約】【課題】二回折りした折丁を上下いずれか一方や交互に排出できる折機を提供する。【解決手段】一枚又は複数枚重ねたシートを保持する針１２１ａ〜１２１ｄと、シートを曲折する折ブレード１２２ａ〜１２２ｄとを具えた折胴１２０と、折胴１２０から折丁を受け取るくわえ板装置１３１ａ〜１３１ｄと、折丁を曲折する折ブレード１３２ａ〜１３２ｄとを具えた第一のくわえ胴１３０と、第一のくわえ胴１３０から折丁を受け取るくわえ板装置１４１ｂ，１４１ｄ及びくわえ爪装置１４２ｂ，１４２ｄを具えた第二の上くわえ胴１４０と、第一のくわえ胴１３０から折丁を受け取るくわえ板装置１５１ａ〜１５１ｃ及びくわえ爪装置１５２ａ〜１５２ｃを具えた第二の下くわえ胴１５０とを備え、第一のくわえ胴１３０から第二の上下くわえ胴１４０，１５０に対して交互又はいずれか一方のみに折丁を受け渡すように折丁の搬送経路を切り換える搬送経路切換手段を設けた。【選択図】図１
2015209292.tif 000002
【特許請求の範囲】
【請求項１】
一枚又は複数枚重ねたシートを保持する折胴用保持手段と、前記折胴用保持手段に保持されたシートの搬送方向上流側と下流側との間をシートの幅方向に沿って曲折する折胴用折手段とをそれぞれ周方向に沿って複数具えた折胴と、
前記折胴に対接し、当該折胴からシートを受け取って保持する第一のくわえ胴用保持手段と、当該第一のくわえ胴用保持手段に保持されたシートの搬送方向上流側と下流側との間をシートの幅方向に沿って曲折する第一のくわえ胴用折手段とをそれぞれ周方向に沿って複数具えた第一のくわえ胴と、
前記第一のくわえ胴に対接し、当該第一のくわえ胴からシートを受け取って保持する第二の上流側くわえ胴用保持手段を周方向に沿って複数具えた第二の上流側くわえ胴と、
前記第一のくわえ胴の、前記折胴との対接位置よりもシート搬送方向上流側と前記第二の上流側くわえ胴との対接位置よりもシート搬送方向下流側との間に対接し、当該第一のくわえ胴からシートを受け取って保持する第二の下流側くわえ胴用保持手段を周方向に沿って複数具えた第二の下流側くわえ胴と
を備えると共に、
前記第一のくわえ胴用保持手段に保持されているシートを、前記第二の上流側くわえ胴用保持手段及び前記第二の下流側くわえ胴用保持手段に対して、交互又はいずれか一方のみに受け渡すように、シートの搬送経路を切り換える搬送経路切換手段を備えた
ことを特徴とする折機。
【請求項２】
請求項１に記載の折機において、
前記折胴が、前記折胴用保持手段に対する前記折胴用折手段の周方向の位置を調整可能なものであり、
前記第一のくわえ胴が、前記第一のくわえ胴用保持手段に対する前記第一のくわえ胴用折手段の周方向の位置を調整可能なものであり、
前記折胴用保持手段に対する前記折胴用折手段の周方向の位置の調整に伴って、当該折胴用折手段の周方向の位置に対応して前記第一のくわえ胴用保持手段の周方向の位置を調整すると共に、当該第一のくわえ胴用保持手段に対する前記第一のくわえ胴用折手段の周方向の位置の調整に伴って、当該第一のくわえ胴用折手段の周方向の位置に対応して前記第二の上流側くわえ胴用保持手段及び前記第二の下流側くわえ胴用保持手段の周方向の位置を調整するように、前記折胴、前記第一のくわえ胴、前記第二の上流側くわえ胴、前記第二の下流側くわえ胴の位相を調整する折位置調整手段を備えた
ことを特徴とする折機。
【請求項３】
請求項２に記載の折機において、
前記折胴用保持手段に保持されるシートの枚数を入力される枚数入力部を有する入力手段と、
前記枚数入力部に入力されたシートの枚数が一枚のとき、前記第一のくわえ胴用保持手段に保持されているシートを、前記第二の上流側くわえ胴用保持手段及び前記第二の下流側くわえ胴用保持手段に対して交互に受け渡す、又は、当該第二の下流側くわえ胴用保持手段のみに受け渡すように、前記搬送経路切換手段を制御し、前記枚数入力部に入力されたシートの枚数が複数枚のとき、前記第一のくわえ胴用保持手段に保持されているシートを、前記第二の上流側くわえ胴用保持手段のみに受け渡す、又は、前記第二の下流側くわえ胴用保持手段のみに受け渡すように、前記搬送経路切換手段を制御する制御手段と
を備えたことを特徴とする折機。
【請求項４】
請求項３に記載の折機において、
前記折胴用折手段と前記第一のくわえ胴用折手段との両方又は前記折胴用折手段のみでシートを曲折するように、シートの折回数を切り換える折回数切換手段を備えると共に、
前記第二の上流側くわえ胴用保持手段が、前記折胴用折手段のみで曲折されたシートを前記第一のくわえ胴から受け取って保持する第二の上流側くわえ胴用第一保持手段と、前記折胴用折手段と前記第一のくわえ胴用折手段との両方で曲折されたシートを前記第一のくわえ胴から受け取って保持する第二の上流側用第二保持手段とを具え、
前記第二の下流側くわえ胴用保持手段が、前記折胴用折手段のみで曲折されたシートを前記第一のくわえ胴から受け取って保持する第二の下流側くわえ胴用第一保持手段と、前記折胴用折手段と前記第一のくわえ胴用折手段との両方で曲折されたシートを前記第一のくわえ胴から受け取って保持する第二の下流側用第二保持手段とを具えている
ことを特徴とする折機。
【請求項５】
請求項４に記載の折機において、
前記入力手段が、さらに、シートの搬送経路を入力される搬送経路入力部と、シートの折仕様を入力される折仕様入力部とを有し、
前記制御手段が、さらに、前記搬送経路入力部に入力された前記搬送経路に基づいて、当該搬送経路となるように前記搬送経路切換手段を制御すると共に、前記折仕様入力部に入力された前記折仕様に基づいて、当該折仕様となるように前記折位置調整手段及び前記折回数切換手段を制御するものである
ことを特徴とする折機。
【請求項６】
請求項１から請求項５のいずれか一項に記載の折機において、
前記第二の下流側くわえ胴が、前記第二の下流側くわえ胴用保持手段を周方向に沿って等間隔で三つ具えた三倍胴である
ことを特徴とする折機。
【発明の詳細な説明】
【技術分野】
【０００１】
本発明は、印刷されたウエブを所定の長さごとに断裁して折り畳むことにより折丁とする折機に関する。
【背景技術】
【０００２】
巻紙のウエブに印刷を施す巻紙輪転印刷機は、印刷されたウエブを所定の長さごとに断裁して折り畳むことにより折丁とする折機を備えている。このような折機として、例えば、下記特許文献１には、ウエブから断裁された一枚のシートを折り畳むこと（ノンコレクト）ができると共に、ウエブから断裁されたシートを二枚重ねて折り畳むこと（コレクト）ができ、さらに、折り畳まれた折丁を、上側及び下側にそれぞれ設定された上側搬送経路と下側搬送経路とのいずれか一方に排出できると共に、上側搬送経路と下側搬送経路とに交互に振り分けて排出できるものが記載されている。
【先行技術文献】
【特許文献】
【０００３】
【特許文献１】特開２００９−０５７２０９号公報
【特許文献２】特開２００６−０４４９１９号公報
【発明の概要】
【発明が解決しようとする課題】
【０００４】
前記特許文献１に記載されている折機においては、ウエブから断裁されたシートを搬送方向と直交する方向へ一回折り畳む平行一回折りを行うことができるものの、シートを搬送方向と直交する方向へ二回折り畳む平行二回折りや、シートを搬送方向と直交する異なる二方向で折り畳むデルタ折り等のような二回折りを行うことができなかった。
【０００５】
このため、一枚のシート（ノンコレクト）又は複数枚重ねたシート（コレクト）を二回折りした折丁を上側搬送経路と下側搬送経路とのいずれか一方や上側搬送経路と下側搬送経路とに交互に振り分けて排出できる折機が強く求められている。
【課題を解決するための手段】
【０００６】
前述した課題を解決するための、本発明に係る折機は、一枚又は複数枚重ねたシートを保持する折胴用保持手段と、前記折胴用保持手段に保持されたシートの搬送方向上流側と下流側との間をシートの幅方向に沿って曲折する折胴用折手段とをそれぞれ周方向に沿って複数具えた折胴と、前記折胴に対接し、当該折胴からシートを受け取って保持する第一のくわえ胴用保持手段と、当該第一のくわえ胴用保持手段に保持されたシートの搬送方向上流側と下流側との間をシートの幅方向に沿って曲折する第一のくわえ胴用折手段とをそれぞれ周方向に沿って複数具えた第一のくわえ胴と、前記第一のくわえ胴に対接し、当該第一のくわえ胴からシートを受け取って保持する第二の上流側くわえ胴用保持手段を周方向に沿って複数具えた第二の上流側くわえ胴と、前記第一のくわえ胴の、前記折胴との対接位置よりもシート搬送方向上流側と前記第二の上流側くわえ胴との対接位置よりもシート搬送方向下流側との間に対接し、当該第一のくわえ胴からシートを受け取って保持する第二の下流側くわえ胴用保持手段を周方向に沿って複数具えた第二の下流側くわえ胴とを備えると共に、前記第一のくわえ胴用保持手段に保持されているシートを、前記第二の上流側くわえ胴用保持手段及び前記第二の下流側くわえ胴用保持手段に対して、交互又はいずれか一方のみに受け渡すように、シートの搬送経路を切り換える搬送経路切換手段を備えたことを特徴とする。
【０００７】
また、本発明に係る折機は、上述した折機において、前記折胴が、前記折胴用保持手段に対する前記折胴用折手段の周方向の位置を調整可能なものであり、前記第一のくわえ胴が、前記第一のくわえ胴用保持手段に対する前記第一のくわえ胴用折手段の周方向の位置を調整可能なものであり、前記折胴用保持手段に対する前記折胴用折手段の周方向の位置の調整に伴って、当該折胴用折手段の周方向の位置に対応して前記第一のくわえ胴用保持手段の周方向の位置を調整すると共に、当該第一のくわえ胴用保持手段に対する前記第一のくわえ胴用折手段の周方向の位置の調整に伴って、当該第一のくわえ胴用折手段の周方向の位置に対応して前記第二の上流側くわえ胴用保持手段及び前記第二の下流側くわえ胴用保持手段の周方向の位置を調整するように、前記折胴、前記第一のくわえ胴、前記第二の上流側くわえ胴、前記第二の下流側くわえ胴の位相を調整する折位置調整手段を備えたことを特徴とする。
【０００８】
また、本発明に係る折機は、上述した折機において、前記折胴用保持手段に保持されるシートの枚数を入力される枚数入力部を有する入力手段と、前記枚数入力部に入力されたシートの枚数が一枚のとき、前記第一のくわえ胴用保持手段に保持されているシートを、前記第二の上流側くわえ胴用保持手段及び前記第二の下流側くわえ胴用保持手段に対して交互に受け渡す、又は、当該第二の下流側くわえ胴用保持手段のみに受け渡すように、前記搬送経路切換手段を制御し、前記枚数入力部に入力されたシートの枚数が複数枚のとき、前記第一のくわえ胴用保持手段に保持されているシートを、前記第二の上流側くわえ胴用保持手段のみに受け渡す、又は、前記第二の下流側くわえ胴用保持手段のみに受け渡すように、前記搬送経路切換手段を制御する制御手段とを備えたことを特徴とする。
【０００９】
また、本発明に係る折機は、上述した折機において、前記折胴用折手段と前記第一のくわえ胴用折手段との両方又は前記折胴用折手段のみでシートを曲折するように、シートの折回数を切り換える折回数切換手段を備えると共に、前記第二の上流側くわえ胴用保持手段が、前記折胴用折手段のみで曲折されたシートを前記第一のくわえ胴から受け取って保持する第二の上流側くわえ胴用第一保持手段と、前記折胴用折手段と前記第一のくわえ胴用折手段との両方で曲折されたシートを前記第一のくわえ胴から受け取って保持する第二の上流側用第二保持手段とを具え、前記第二の下流側くわえ胴用保持手段が、前記折胴用折手段のみで曲折されたシートを前記第一のくわえ胴から受け取って保持する第二の下流側くわえ胴用第一保持手段と、前記折胴用折手段と前記第一のくわえ胴用折手段との両方で曲折されたシートを前記第一のくわえ胴から受け取って保持する第二の下流側用第二保持手段とを具えていることを特徴とする。
【００１０】
また、本発明に係る折機は、上述した折機において、前記入力手段が、さらに、シートの搬送経路を入力される搬送経路入力部と、シートの折仕様を入力される折仕様入力部とを有し、前記制御手段が、さらに、前記搬送経路入力部に入力された前記搬送経路に基づいて、当該搬送経路となるように前記搬送経路切換手段を制御すると共に、前記折仕様入力部に入力された前記折仕様に基づいて、当該折仕様となるように前記折位置調整手段及び前記折回数切換手段を制御するものであることを特徴とする。
【００１１】
また、本発明に係る折機は、上述した折機において、前記第二の下流側くわえ胴が、前記第二の下流側くわえ胴用保持手段を周方向に沿って等間隔で三つ具えた三倍胴であることを特徴とする。
【発明の効果】
【００１２】
本発明に係る折機によれば、一枚のシート（ノンコレクト）又は複数枚重ねたシート（コレクト）を二回折りした折丁を上側搬送経路と下側搬送経路とのいずれか一方や上側搬送経路と下側搬送経路とに交互に振り分けて排出することができる。
【図面の簡単な説明】
【００１３】
【図１】本発明に係る折機の主な実施形態の要部の概略構成図である。
【図２】断裁待機胴の針用カムの概略構成図である。
【図３】折胴の針用メインカムの概略構成図である。
【図４】折胴の針用サブカムの概略構成図である。
【図５】折胴の針用メインカム及び針用サブカムと針用カムフォロアとの位置関係の説明図である。
【図６】折胴の折ブレード用カムの概略構成図である。
【図７】第一のくわえ胴のくわえ板用メインカムの概略構成図である。
【図８】第一のくわえ胴のくわえ板用第一サブカムの概略構成図である。
【図９】第一のくわえ胴のくわえ板用第二サブカムの概略構成図である。
【図１０】第一のくわえ胴のくわえ板用第三サブカムの概略構成図である。
【図１１】第一のくわえ胴のくわえ板用メインカム及びくわえ板用第一〜三サブカムと折ブレード用カムフォロアとの位置関係の説明図である。
【図１２】第一のくわえ胴の折ブレード用メインカムの概略構成図である。
【図１３】第一のくわえ胴の折ブレード用第一サブカムの概略構成図である。
【図１４】第一のくわえ胴の折ブレード用第二サブカムの概略構成図である。
【図１５】第一のくわえ胴の折ブレード用メインカム及び折ブレード用第一，二サブカムと折ブレード用カムフォロアとの位置関係の説明図である。
【図１６】第二の上くわえ胴のくわえ板用カムの概略構成図である。
【図１７】第二の上くわえ胴のくわえ爪用メインカムの概略構成図である。
【図１８】第二の上くわえ胴のくわえ爪用サブカムの概略構成図である。
【図１９】第二の上くわえ胴のくわえ爪用メインカム及びくわえ爪用サブカムとくわえ爪用カムフォロアとの位置関係の説明図である。
【図２０】第二の下くわえ胴のくわえ板用メインカムの概略構成図である。
【図２１】第二の下くわえ胴のくわえ板用サブカムの概略構成図である。
【図２２】第二の下くわえ胴のくわえ爪用カムの概略構成図である。
【図２３】図１の折機の要部の制御ブロック図である。
【図２４】折胴の針用メインカム及び針用サブカムの、ノンコレクト時の概略構成図である。
【図２５】第一のくわえ胴のくわえ板用メインカム及びくわえ板用第一〜三サブカムの、平行一回折り下側排出時の概略構成図である。
【図２６】第一のくわえ胴の折ブレード用メインカム及び折ブレード用第一，二サブカムの、平行一回折り下側排出時の概略構成図である。
【図２７】第二の上くわえ胴のくわえ板用カムの、下側排出時の概略構成図である。
【図２８】第二の上くわえ胴のくわえ爪用メインカム及びくわえ爪用サブカムの、下側排出時の概略構成図である。
【図２９】第二の下くわえ胴のくわえ板用メインカム及びくわえ板用サブカムの、平行一回折り下側排出時の概略構成図である。
【図３０】第一のくわえ胴のくわえ板用メインカム及びくわえ板用第一〜三サブカムの、平行二回折り下側排出時の概略構成図である。
【図３１】第一のくわえ胴の折ブレード用メインカム及び折ブレード用第一，二サブカムの、平行二回折り（又はデルタ折り）下側排出時の概略構成図である。
【図３２】第二の下くわえ胴のくわえ板用メインカム及びくわえ板用サブカムの、平行一回折り（又はデルタ折り）下側排出時の概略構成図である。
【図３３】第一のくわえ胴のくわえ板用メインカム及びくわえ板用第一〜三サブカムの、デルタ折り下側排出時の概略構成図である。
【図３４】第一のくわえ胴のくわえ板用メインカム及びくわえ板用第一〜三サブカムの、平行一回折り上下排出時の概略構成図である。
【図３５】第二の上くわえ胴のくわえ爪用メインカム及びくわえ爪用サブカムの、平行一回折り上下（上側）排出時の概略構成図である。
【図３６】第一のくわえ胴のくわえ板用メインカム及びくわえ板用第一〜三サブカムの、平行二回折り上下排出時の概略構成図である。
【図３７】第一のくわえ胴の折ブレード用メインカム及び折ブレード用第一，二サブカムの、平行二回折り（又はデルタ折り）上下排出時の概略構成図である。
【図３８】第二の上くわえ胴のくわえ板用カムの、上下（上側）排出時の概略構成図である。
【図３９】第一のくわえ胴のくわえ板用メインカム及びくわえ板用第一〜三サブカムの、デルタ折り上下排出時の概略構成図である。
【図４０】折胴の針用メインカム及び針用サブカムの、コレクト時の概略構成図である。
【図４１】第一のくわえ胴の折ブレード用メインカム及び折ブレード用第一，二サブカムの、平行二回折り（又はデルタ折り）上側排出時の概略構成図である。
【図４２】第一のくわえ胴のくわえ板用メインカム及びくわえ板用第一〜三サブカムの、平行一回折り上側排出時の概略構成図である。
【図４３】第一のくわえ胴のくわえ板用メインカム及びくわえ板用第一〜三サブカムの、平行二回折り上側排出時の概略構成図である。
【図４４】第一のくわえ胴のくわえ板用メインカム及びくわえ板用第一〜三サブカムの、デルタ折り上側排出時の概略構成図である。
【発明を実施するための形態】
【００１４】
本発明に係る折機の実施形態を図面に基づいて説明するが、本発明は図面に基づいて説明する実施形態のみに限定されるものではない。
【００１５】
［主な実施形態］
本発明に係る折機の主な実施形態を図１〜４０に基づいて説明する。
【００１６】
〈折機の全体構成〉
図１において、１１０は、回転可能に支持された断裁待機胴であり、印刷されたウエブ１を幅方向に沿って断裁する断裁刃１１１ａ〜１１１ｃが周方向に等間隔で複数（本実施形態では三つ）設けられると共に、外周面に対して出没可能に支持されてウエブ１の断裁箇所の搬送方向下流側の端部を保持する断裁待機胴用保持手段である針１１２ａ〜１１２ｃが前記断裁刃１１１ａ〜１１１ｃの近傍の回転方向下流側にそれぞれ設けられている。
【００１７】
前記断裁待機胴１１０には、当該断裁待機胴１１０と同期回転可能となるように支持された折胴１２０が対接している。この折胴１２０は、ウエブ１の断裁箇所の搬送方向下流側の端部を保持するように外周面に対して出没可能な折胴用保持手段である針１２１ａ〜１２１ｄを周方向に沿って等間隔で複数（本実施形態では四つ）具えた第一の胴本体１２０Ａと、前記針１２１ａ〜１２１ｄに搬送方向上流側の端部を保持されたシートの搬送方向上流側と下流側との間を幅方向に沿って曲折するように外周面に対して出没可能な折胴用折手段である折ブレード１２２ａ〜１２２ｄを周方向に沿って等間隔で複数（本実施形態では四つ）具えた第二の胴本体１２０Ｂとが、周方向へ相対的に回動移動できるように図示しない波動歯車装置（例えば、株式会社ハーモニックドライブシステムズ製「ハーモニックドライブ（登録商標）」）を介して一体的に組み付けられることにより、前記針１２１ａ〜１２１ｄに対する前記折ブレード１２２ａ〜１２２ｄの周方向の位置を調整可能としたダブルシリンダ型となっている。
【００１８】
前記折胴１２０には、当該折胴１２０と同期回転可能となるように支持された第一のくわえ胴１３０が対接している。この第一のくわえ胴１３０は、前記折胴１２０の前記針１２１ａ〜１２１ｄに保持されて前記折ブレード１２２ａ〜１２２ｄで折り込まれたシートを折丁としてくわえるように受け取る開閉可能な第一のくわえ胴用保持手段であるくわえ板装置１３１ａ〜１３１ｄを周方向に沿って等間隔で複数（本実施形態では四つ）具えた第一の胴本体１３０Ａと、前記くわえ板装置１３１ａ〜１３１ｄにくわえられて保持された折丁の搬送方向上流側と下流側との間を幅方向に沿って曲折するように外周面に対して出没可能な第一のくわえ胴用折手段である折ブレード１３２ａ〜１３２ｄを周方向に沿って等間隔で複数（本実施形態では四つ）具えた第二の胴本体１３０Ｂとが、周方向へ相対的に回動移動できるように図示しない波動歯車装置（例えば、株式会社ハーモニックドライブシステムズ製「ハーモニックドライブ（登録商標）」）を介して一体的に組み付けられることにより、前記くわえ板装置１３１ａ〜１３１ｄに対する前記折ブレード１３２ａ〜１３２ｄの周方向の位置を調整可能としたダブルシリンダ型となっている。
【００１９】
前記第一のくわえ胴１３０には、当該第一のくわえ胴１３０と同期回転可能となるように支持された第二の上流側上くわえ胴である第二の上くわえ胴１４０が対接している。この第二の上くわえ胴１４０は、前記第一のくわえ胴１３０の前記くわえ板装置１３１ａ〜１３１ｄに保持されて前記折ブレード１３２ａ〜１３２ｄで折り込まれた折丁をくわえるように受け取る開閉可能な複数（本実施形態では二つ）の第二の上流側くわえ胴用第二保持手段であるくわえ板装置１４１ｂ，１４１ｄと、前記第一のくわえ胴１３０の前記くわえ板装置１３１ａ〜１３１ｄにくわえられて保持されている折丁を受け取って保持する複数（本実施形態では二つ）の第二の上流側くわえ胴用第一保持手段であるくわえ爪装置１４２ｂ，１４２ｄとが、周方向に沿ってそれぞれ等間隔となるように所定の位置に設けられると共に、前記折胴１２０及び前記第一のくわえ胴１３０と同じ直径（四倍胴）をなしている。
【００２０】
前記第一のくわえ胴１３０の、前記第二の上くわえ胴１４０との対接位置よりも回転方向（搬送方向）下流側と、前記折胴１２０との対接位置よりも回転方向（搬送方向）上流側との間には、当該第一のくわえ胴１３０と同期回転可能となるように支持された第二の下流側くわえ胴である第二の下くわえ胴１５０が対接している。この第二の下くわえ胴１５０は、前記第一のくわえ胴１３０の前記くわえ板装置１３１ａ〜１３１ｄに保持されて前記折ブレード１３２ａ〜１３２ｄで折り込まれた折丁をくわえるように受け取る開閉可能な複数（本実施形態では三つ）の第二の下流側くわえ胴用第二保持手段であるくわえ板装置１５１ａ〜１５１ｃと、前記第一のくわえ胴１３０の前記くわえ板装置１３１ａ〜１３１ｄにくわえられて保持されている折丁を受け取って保持する複数（本実施形態では三つ）の第二の下流側くわえ胴用第一保持手段であるくわえ爪装置１５２ａ〜１５２ｃとが、周方向に沿ってそれぞれ等間隔となるように所定の位置に設けられると共に、前記断裁待機胴１１０と同じ直径（三倍胴）をなしている。
【００２１】
前記第二の上くわえ胴１４０には、当該第二の上くわえ胴１４０から折丁を受け取って搬送する上搬送ベルト１６１が連絡している。前記第二の下くわえ胴１５０には、当該第二の下くわえ胴１５０から折丁を受け取って搬送する下搬送ベルト１６２が連絡している。
【００２２】
〈断裁待機胴の針用のカム機構〉
前記断裁待機胴１１０の原動機側（図１中、紙面奥側）には、図２に示すように、外周に所定形状のカム面１１５ａを有する円板状の針用カム１１５が、その中心を当該断裁待機胴１１０の中心と一致させるようにして設けられており、当該針用カム１１５は、当該断裁待機胴１１０の回転周期に対して１．５倍の回転周期で回転することができると共に、図２に示す規定位置（ノンコレクト位置）に位置決め固定することができるようになっている。
【００２３】
前記断裁待機胴１１０の原動機側（図１中、紙面奥側）には、前記針１１２ａ〜１１２ｃを当該断裁待機胴１１０の外周面に対してそれぞれ出没させるように移動可能な針用カムフォロア１１３ａ〜１１３ｃが、当該断裁待機胴１１０の回転に伴って公転移動できるようにそれぞれ設けられている。
【００２４】
前記針用カムフォロア１１３ａ〜１１３ｃは、前記断裁待機胴１１０の径方向外側への移動に伴って、前記針１１２ａ〜１１２ｃを当該断裁待機胴１１０の外周面よりも径方向内側へ没入移動させると共に、前記断裁待機胴１１０の径方向内側への移動に伴って、前記針１１２ａ〜１１２ｃを当該断裁待機胴１１０の外周面よりも径方向外側へ突出移動させることができるように、当該針１１２ａ〜１１２ｃに対してそれぞれ連結されている。
【００２５】
前記針用カムフォロア１１３ａ〜１１３ｃは、前記針用カム１１５の前記カム面１１５ａ上を転動できるようにトーションバー等の図示しない付勢手段によって当該カム面１１５ａに対してそれぞれ付勢されている。
【００２６】
つまり、前記針用カム１１５は、前記規定位置に位置決め固定されていると、前記針１１２ａ〜１１２ｃが前記折胴１２０と対向するときに、当該針１１２ａ〜１１２ｃを前記断裁待機胴１１０の外周面よりも径方向内側へ没入させるように前記針用カムフォロア１１３ａ〜１１３ｃを径方向外側へ移動させる一方、前記断裁待機胴１１０の回転周期に対して１．５倍の回転周期で回転すると、前記針１１２ａ〜１１２ｃが前記折胴１２０と対向するときに、当該針１１２ａ〜１１２ｃの没入と突出とを交互に繰り返すように前記針用カムフォロア１１３ａ〜１１３ｃを移動させる形状に、前記カム面１１５ａが形成されているのである（詳細は前記特許文献１参照）。
【００２７】
〈折胴の針用のカム機構〉
前記折胴１２０の操作側（図１中、紙面手前側）には、図３に示すように、外周に所定形状のカム面１２５ａを有する円板状の針用メインカム１２５が、その中心を当該折胴１２０の中心と一致させるようにして設けられており、当該針用メインカム１２５は、図３に示す規定位置（ノンコレクト位置）に位置決め固定されている。
【００２８】
前記折胴１２０の操作側（図１中、紙面手前側）の前記針用メインカム１２５と当該折胴１２０との間となる位置には、図４に示すように、外周に所定形状のカム面１２６ａを有する扇状の針用サブカム１２６が、当該折胴１２０の中心を中心にして円弧移動できるように設けられており、当該針用サブカム１２６は、図４中、実線で示す第一の位置（ノンコレクト位置）Ｐ２６１と、二点鎖線で示す第二の位置（コレクト位置）Ｐ２６２とに切り換えできるように移動可能となっている。
【００２９】
前記折胴１２０の操作側（図１中、紙面手前側）には、前記針１２１ａ〜１２１ｄを当該折胴１２０の外周面に対してそれぞれ出没させるように移動可能な針用カムフォロア１２３ａ〜１２３ｄが、当該折胴１２０の回転に伴って公転移動できるようにそれぞれ設けられている。
【００３０】
前記針用カムフォロア１２３ａ〜１２３ｄは、前記折胴１２０の径方向外側への移動に伴って、前記針１２１ａ〜１２１ｄを当該折胴１２０の外周面よりも径方向内側へ没入移動させると共に、前記折胴１２０の径方向内側への移動に伴って、前記針１２１ａ〜１２１ｄを当該折胴１２０の外周面よりも径方向外側へ突出移動させることができるように、当該針１２１ａ〜１２１ｄに対してそれぞれ連結されている。
【００３１】
図５に示すように、前記針用カムフォロア１２３ｂ，１２３ｄは、前記針用メインカム１２５の前記カム面１２５ａと前記針用サブカム１２６の前記カム面１２６ａとの両方に当接できるように、その軸方向の位置が設定されると共に、当該カム１２５，１２６の当該カム面１２５ａ，１２６ａ上を転動できるようにトーションバー等の図示しない付勢手段によって当該カム面１２５ａ，１２６ａに対してそれぞれ付勢されている。
【００３２】
他方、前記針用カムフォロア１２３ａ，１２３ｃは、前記針用サブカム１２６の前記カム面１２６ａに当接することなく前記針用メインカム１２５の前記カム面１２５ａのみに当接できるように、その軸方向の位置が設定されると共に、当該カム１２５の当該カム面１２５ａ上を転動できるようにトーションバー等の図示しない付勢手段によって当該カム面１２５ａに対してそれぞれ付勢されている。
【００３３】
つまり、前記針用メインカム１２５は、前記針１２１ａ〜１２１ｄが前記断裁待機胴１１０に対向するときから前記第一のくわえ胴１３０に対向するときまでの間において、当該針１２１ａ〜１２１ｄを前記折胴１２０の外周面よりも径方向外側へ突出させるように前記針用カムフォロア１２３ａ〜１２３ｄを径方向内側へ移動させる形状に、前記カム面１２５ａが形成され、前記針用サブカム１２６は、前記第一の位置Ｐ２６１に位置付けされていると、前記針１２１ａ〜１２１ｄが前記第一のくわえ胴１３０に対向するときから前記断裁待機胴１１０に対向するときまでの間において、前記カム面１２６ａに前記針用カムフォロア１２３ａ，１２３ｃを載せることなく前記針用カムフォロア１２３ｂ，１２３ｄのみを載せることにより、上記針１２１ｂ，１２１ｄを前記折胴１２０の外周面よりも径方向内側へ没入させるように上記針用カムフォロア１２３ｂ，１２３ｄのみを径方向外側へ移動させ、前記第二の位置Ｐ２６２に位置付けされていると、前記針１２１ａ〜１２１ｄが前記断裁待機胴１１０と対向するときに、前記カム面１２６ａに前記針用カムフォロア１２３ａ，１２３ｃを載せることなく前記針用カムフォロア１２３ｂ，１２３ｄのみを載せることにより、上記針１２３ａ，１２１ｃを前記折胴１２０の外周面よりも径方向内側へ没入させることなく、上記針１２１ｂ，１２１ｄのみを前記折胴１２０の外周面よりも径方向内側へ没入させるように上記針用カムフォロア１２３ｂ，１２３ｄのみを径方向外側へ移動させる形状に、上記カム面１２６ａが形成されているのである（詳細は前記特許文献１参照）。
【００３４】
〈折胴の折ブレード用のカム機構〉
前記折胴１２０の原動機側（図１中、紙面奥側）には、図６に示すように、外周に所定形状のカム面１２７ａを有する円板状の折ブレード用カム１２７が、その中心を当該折胴１２０の中心と一致させるようにして設けられており、当該折ブレード用カム１２７は、図６に示す規定位置（全折り位置）に位置決め固定されている。
【００３５】
前記折胴１２０の原動機側（図１中、紙面奥側）には、前記折ブレード１２２ａ〜１２２ｄを当該折胴１１０の外周面に対してそれぞれ出没させるように移動可能な折ブレード用カムフォロア１２４ａ〜１２４ｄが、当該折胴１２０の回転に伴って公転移動できるようにそれぞれ設けられている。
【００３６】
前記折ブレード用カムフォロア１２４ａ〜１２４ｄは、前記折胴１２０の径方向外側への移動に伴って、前記折ブレード１２２ａ〜１２２ｄを当該折胴１２０の外周面よりも径方向内側へ没入移動させると共に、前記折胴１２０の径方向内側への移動に伴って、前記折ブレード１２２ａ〜１２２ｄを当該折胴１２０の外周面よりも径方向外側へ突出移動させることができるように、当該折ブレード１２２ａ〜１２２ｄに対してそれぞれ連結されている。
【００３７】
前記折ブレード用カムフォロア１２４ａ〜１２４ｄは、前記折ブレード用カム１２７の前記カム面１２７ａ上を転動できるようにトーションバー等の図示しない付勢手段によって当該カム面１２７ａに対してそれぞれ付勢されている。
【００３８】
つまり、前記折ブレード用カム１２７は、前記規定位置（全折り位置）に位置決め固定されることにより、前記折ブレード１２２ａ〜１２２ｄが前記第一のくわえ胴１３０と対向するときに、当該折ブレード１２２ａ〜１２２ｄを前記折胴１２０の外周面よりも径方向外側へ突出させるように前記折ブレード用カムフォロア１２４ａ〜１２４ｄを径方向内側へ移動させる形状に、前記カム面１２７ａが形成されているのである（詳細は前記特許文献１参照）。
【００３９】
〈第一のくわえ胴のくわえ板装置のカム機構〉
前記第一のくわえ胴１３０の操作側（図１中、紙面手前側）には、図７に示すように、外周に所定形状のカム面１３５ａを有する円板状のくわえ板用メインカム１３５が、その中心を当該第一のくわえ胴１３０の中心と一致させるようにして設けられており、当該くわえ板用メインカム１３５は、図７に示す規定位置（全折り位置）に位置決め固定されている。
【００４０】
前記第一のくわえ胴１３０の操作側（図１中、紙面手前側）の前記くわえ板用メインカム１３５と当該第一のくわえ胴１３０との間となる位置には、図８に示すように、外周に所定形状のカム面１３６Ａａを有する扇状のくわえ板用第一サブカム１３６Ａが、当該第一のくわえ胴１３０の中心を中心にして円弧移動できるように設けられており、当該くわえ板用第一サブカム１３６Ａは、図８中、実線で下に示す第一の位置（下一回折り位置）Ｐ３６１と、二点鎖線で下に示す第二の位置（下二回折り位置）Ｐ３６２と、点線で下に示す第三の位置（下デルタ折り位置）Ｐ３６３と、一点鎖線で上に示す第四の位置（上一回折り位置）Ｐ３６４と、二点鎖線で上に示す第五の位置（上二回折り位置）Ｐ３６５と、点線で上に示す第六の位置（上デルタ折り位置）Ｐ３６６とに切り換えできるように移動可能となっている。
【００４１】
前記第一のくわえ胴１３０の操作側（図１中、紙面手前側）の前記くわえ板用メインカム１３５よりも当該第一のくわえ胴１３０の軸端側（図１中、紙面手前側）となる位置には、図９に示すように、外周に所定形状のカム面１３６Ｂａを有する扇状のくわえ板用第二サブカム１３６Ｂが、当該第一のくわえ胴１３０の中心を中心にして円弧移動できるように設けられており、当該くわえ板用第二サブカム１３６Ｂは、図９中、実線で下に示す第一の位置（下一回折り位置）Ｐ３６１と、二点鎖線で下に示す第二の位置（下二回折り位置）Ｐ３６２と、点線で下に示す第三の位置（下デルタ折り位置）Ｐ３６３と、一点鎖線で上に示す第四の位置（上一回折り位置）Ｐ３６４と、二点鎖線で上に示す第五の位置（上二回折り位置）Ｐ３６５と、点線で上に示す第六の位置（上デルタ折り位置）Ｐ３６６とに切り換えできるように移動可能となっている。
【００４２】
前記第一のくわえ胴１３０の操作側（図１中、紙面手前側）の前記くわえ板用メインカム１３５と前記くわえ板用第二サブカム１３６Ｂとの間となる位置には、図１０に示すように、外周に所定形状のカム面１３６Ｃａを有する扇状のくわえ板用第三サブカム１３６Ｃが、当該第一のくわえ胴１３０の中心を中心にして円弧移動できるように設けられており、当該くわえ板用第三サブカム１３６Ｃは、図１０中、一点鎖線で下に示す第一の位置（下一回折り位置）Ｐ３６１と、点線で下に示す第二の位置（下二回折り位置）Ｐ３６２と、二点鎖線で下に示す第三の位置（下デルタ折り位置）Ｐ３６３と、実線で上に示す第四の位置（上一回折り位置）Ｐ３６４と、点線で上に示す第五の位置（上二回折り位置）Ｐ３６５と、二点鎖線で上に示す第六の位置（上デルタ折り位置）Ｐ３６６とに切り換えできるように移動可能となっている。
【００４３】
前記第一のくわえ胴１３０の操作側（図１中、紙面手前側）には、前記くわえ板装置１３１ａ〜１３１ｄのくわえ板を開閉させるように移動可能なくわえ板用カムフォロア１３３ａ〜１３３ｄが、当該第一のくわえ胴１３０の回転に伴って公転移動できるようにそれぞれ設けられている。
【００４４】
前記くわえ板用カムフォロア１３３ａ〜１３３ｄは、前記第一のくわえ胴１３０の径方向外側への移動に伴って、前記くわえ板装置１３１ａ〜１３１ｄのくわえ板を開放すると共に、前記第一のくわえ胴１３０の径方向内側への移動に伴って、前記くわえ板装置１３１ａ〜１３１ｄのくわえ板を閉鎖することができるように、当該くわえ板装置１３１ａ〜１３１ｄのくわえ板に対してそれぞれ連結されている。
【００４５】
図１１に示すように、前記くわえ板用カムフォロア１３３ａは、前記くわえ板用メインカム１３５の前記カム面１３５ａ及び前記くわえ板用第一サブカム１３６Ａの前記カム面１３６Ａａに当接する一方、前記くわえ板用第二サブカム１３６Ｂの前記カム面１３６Ｂａ及び前記くわえ板用第三サブカム１３６Ｃの前記カム面１３６Ｃａに当接することのないように、その軸方向の位置が設定されると共に、当該カム１３５，１３６Ａの当該カム面１３５ａ，１３６Ａａ上を転動できるようにトーションバー等の図示しない付勢手段によって当該カム面１３５ａ，１３６Ａａに対して付勢されている。
【００４６】
前記くわえ板用カムフォロア１３３ｂは、前記くわえ板用メインカム１３５の前記カム面１３５ａ及び前記くわえ板用第二サブカム１３６Ｂの前記カム面１３６Ｂａ並びに前記くわえ板用第三サブカム１３６Ｃの前記カム面１３６Ｃａに当接する一方、前記くわえ板用第一サブカム１３６Ａの前記カム面１３６Ａａに当接することのないように、その軸方向の位置が設定されると共に、当該カム１３５，１３６Ｂ，１３６Ｃの当該カム面１３５ａ，１３６Ｂａ，１３６Ｃａ上を転動できるようにトーションバー等の図示しない付勢手段によって当該カム面１３５ａ，１３６Ｂａ，１３６Ｃａに対して付勢されている。
【００４７】
前記くわえ板用カムフォロア１３３ｃは、前記くわえ板用カムフォロア１３３ａと同様に、前記くわえ板用メインカム１３５の前記カム面１３５ａ及び前記くわえ板用第一サブカム１３６Ａの前記カム面１３６Ａａに当接する一方、前記くわえ板用第二サブカム１３６Ｂの前記カム面１３６Ｂａ及び前記くわえ板用第三サブカム１３６Ｃの前記カム面１３６Ｃａに当接することのないように、その軸方向の位置が設定されると共に、当該カム１３５，１３６Ａの当該カム面１３５ａ，１３６Ａａ上を転動できるようにトーションバー等の図示しない付勢手段によって当該カム面１３５ａ，１３６Ａａに対して付勢されている。
【００４８】
前記くわえ板用カムフォロア１３３ｄは、前記くわえ板用メインカム１３５の前記カム面１３５ａ及び前記くわえ板用第三サブカム１３６Ｃの前記カム面１３６Ｃａに当接する一方、前記くわえ板用第一サブカム１３６Ａの前記カム面１３６Ａａ及び前記くわえ板用第二サブカム１３６Ｂの前記カム面１３６Ｂａに当接することのないように、その軸方向の位置が設定されると共に、当該カム１３５，１３６Ｃの当該カム面１３５ａ，１３６Ｃａ上を転動できるようにトーションバー等の図示しない付勢手段によって当該カム面１３５ａ，１３６Ｃａに対して付勢されている。
【００４９】
つまり、前記くわえ板用メインカム１３５は、前記くわえ板装置１３１ａ〜１３１ｄが前記折胴１２０と対向するときに、すべての前記くわえ板用カムフォロア１３３ａ〜１３３ｄを前記カム面１３５ａに載せることにより、すべての当該くわえ板装置１３１ａ〜１３１ｄのくわえ板を開放させるように当該くわえ板用カムフォロア１３３ａ〜１３３ｄを径方向外側へ移動させる形状に、上記カム面１３５ａが形成され、前記くわえ板用第一サブカム１３６Ａは、前記第一〜三の位置Ｐ３６１〜Ｐ３６３に位置付けされて、前記くわえ装置１３１ａ〜１３１ｄが前記第二の下くわえ胴１５０と対向するとき、又は、前記第四〜六の位置Ｐ３６４〜Ｐ３６６に位置付けされて、前記くわえ装置１３１ａ〜１３１ｄが前記第二の上くわえ胴１４０と対向するときに、前記カム面１３６Ａａに上記くわえ板用カムフォロア１３３ｂ，１３３ｄを載せることなく上記くわえ板用カムフォロア１３３ａ，１３３ｃのみを載せることにより、上記くわえ板装置１３１ｂ，１３１ｄのくわえ板を開放させることなく、上記くわえ板装置１３１ａ，１３１ｃのくわえ板のみを開放させるように上記くわえ板用カムフォロア１３３ａ，１３３ｄのみを径方向外側へ移動させる形状に、上記カム面１３６Ａａが形成され、前記くわえ板用第二サブカム１３６Ｂは、前記第一〜三の位置Ｐ３６１〜Ｐ３６３に位置付けされて、前記くわえ装置１３１ａ〜１３１ｄが前記第二の下くわえ胴１５０と対向するとき、又は、前記第四〜六の位置Ｐ３６４〜Ｐ３６６に位置付けされて、前記くわえ装置１３１ａ〜１３１ｄが前記第二の上くわえ胴１４０と対向するときに、前記カム面１３６Ｂａに上記くわえ板用カムフォロア１３３ａ，１３３ｃ，１３３ｄを載せることなく上記くわえ板用カムフォロア１３３ｂのみを載せることにより、上記くわえ板装置１３１ａ，１３１ｃ，１３１ｄのくわえ板を開放させることなく、上記くわえ板装置１３１ｂのくわえ板のみを開放させるように上記くわえ板用カムフォロア１３３ｂのみを径方向外側へ移動させる形状に、上記カム面１３６Ｂａが形成され、前記くわえ板用第三サブカム１３６Ｃは、前記第一〜三の位置Ｐ３６１〜Ｐ３６３に位置付けされて、前記くわえ装置１３１ａ〜１３１ｄが前記第二の下くわえ胴１５０と対向するとき、又は、前記第四〜六の位置Ｐ３６４〜Ｐ３６６に位置付けされて、前記くわえ装置１３１ａ〜１３１ｄが前記第二の上くわえ胴１４０と対向するときに、前記カム面１３６Ｃａに上記くわえ板用カムフォロア１３３ａ，１３３ｃを載せることなく上記くわえ板用カムフォロア１３３ｂ，１３３ｄのみを載せることにより、上記くわえ板装置１３１ａ，１３１ｃのくわえ板を開放させることなく、上記くわえ板装置１３１ｂ，１３１ｄのくわえ板のみを開放させるように上記くわえ板用カムフォロア１３３ｂ，１３３ｄのみを径方向外側へ移動させる形状に、上記カム面１３６Ｃａが形成されているのである。
【００５０】
〈第一のくわえ胴の折ブレードのカム機構〉
前記第一のくわえ胴１３０の原動機側（図１中、紙面奥側）には、図１２に示すように、外周に所定形状のカム面１３７ａを有する円板状の折ブレード用メインカム１３７が、その中心を当該第一のくわえ胴１３０の中心と一致させるようにして設けられており、当該折ブレード用メインカム１３７は、図１２中、実線で示す第一の位置（折り有り位置）Ｐ３７１と、二点鎖線で示す第二の位置（折り無し位置）Ｐ３７２とに切り換えできるように移動可能となっている。
【００５１】
前記第一のくわえ胴１３０の原動機側（図１中、紙面奥側）の前記折ブレード用メインカム１３７と当該第一のくわえ胴１３０との間となる位置には、図１３に示すように、外周に所定形状のカム面１３８Ａａを有する扇状の折ブレード用第一サブカム１３８Ａが、当該第一のくわえ胴１３０の中心を中心にして円弧移動できるように設けられており、当該折ブレード用第一サブカム１３８Ａは、図１３中、実線で示す第一の位置（上折り無し位置）Ｐ３８１と、二点鎖線で示す第二の位置（退避位置）Ｐ３８２と、点線で示す第三の位置（下折り無し位置）Ｐ３８３とに切り換えできるように移動可能となっている。
【００５２】
前記第一のくわえ胴１３０の原動機側（図１中、紙面奥側）の前記折ブレード用メインカム１３７よりも当該第一のくわえ胴１３０の軸端側（図１中、紙面手前側）となる位置には、図１４に示すように、外周に所定形状のカム面１３８Ｂａを有する扇状の折ブレード用第二サブカム１３８Ｂが、当該第一のくわえ胴１３０の中心を中心にして円弧移動できるように設けられており、当該折ブレード用第二サブカム１３８Ｂは、図１４中、実線で示す第一の位置（上折り無し位置）Ｐ３８１と、二点鎖線で示す第二の位置（退避位置）Ｐ３８２と、点線で示す第三の位置（下折り無し位置）Ｐ３８３とに切り換えできるように移動可能となっている。
【００５３】
前記第一のくわえ胴１３０の原動機側（図１中、紙面奥側）には、前記折ブレード１３２ａ〜１３２ｄを当該第一のくわえ胴１３０の外周面に対してそれぞれ出没させるように移動可能な折ブレード用カムフォロア１３４ａ〜１３４ｄが、当該第一のくわえ胴１３０の回転に伴って公転移動できるようにそれぞれ設けられている。
【００５４】
前記折ブレード用カムフォロア１３４ａ〜１３４ｄは、前記第一のくわえ胴１３０の径方向外側への移動に伴って、前記折ブレード１３２ａ〜１３２ｄを当該第一のくわえ胴１３０の外周面よりも径方向内側へ没入移動させると共に、前記第一のくわえ胴１３０の径方向内側への移動に伴って、前記折ブレード１３２ａ〜１３２ｄを当該第一のくわえ胴１３０の外周面よりも径方向外側へ突出移動させることができるように、当該折ブレード１３２ａ〜１３２ｄに対してそれぞれ連結されている。
【００５５】
図１５に示すように、前記折ブレード用カムフォロア１３４ａ，１３４ｃは、前記折ブレード用メインカム１３７の前記カム面１３７ａ及び前記折ブレード用第一サブカム１３８Ａの前記カム面１３８Ａａに当接する一方、前記折ブレード用第二サブカム１３８Ｂの前記カム面１３８Ｂａに当接することのないように、その軸方向の位置が設定されると共に、当該カム１３７，１３８Ａの当該カム面１３７ａ，１３８Ａａ上を転動できるようにトーションバー等の図示しない付勢手段によって当該カム面１３７ａ，１３８Ａａに対して付勢されている。
【００５６】
前記折ブレード用カムフォロア１３４ｂ，１３４ｃは、前記折ブレード用メインカム１３７の前記カム面１３７ａ及び前記折ブレード用第二サブカム１３８Ｂの前記カム面１３８Ｂａに当接する一方、前記折ブレード用第一サブカム１３８Ａの前記カム面１３８Ａａに当接することのないように、その軸方向の位置が設定されると共に、当該カム１３７，１３８Ｂの当該カム面１３７ａ，１３８Ｂａ上を転動できるようにトーションバー等の図示しない付勢手段によって当該カム面１３７ａ，１３８Ｂａに対して付勢されている。
【００５７】
つまり、前記折ブレード用メインカム１３７は、前記第一の位置Ｐ３７１に位置付けされていると、前記折ブレード１３２ａ〜１３２ｄが前記第二の上くわえ胴１４０及び前記第二の下くわえ胴１５０と対向するときに、当該折ブレード１３２ａ〜１３２ｄを前記第一のくわえ胴１３０の外周面よりも径方向外側へ突出させるように前記折ブレード用カムフォロア１３４ａ〜１３４ｄを径方向内側へ移動させ、前記第二の位置Ｐ３７２に位置付けされていると、前記折ブレード１３２ａ〜１３２ｄが前記第一の上くわえ胴１４０及び前記第二の下くわえ胴１５０と対向するときに、当該折ブレード１３２ａ〜１３２ｄを前記第一のくわえ胴１３０の外周面よりも径方向内側へ没入させるように前記折ブレード用カムフォロア１３４ａ〜１３４ｄを径方向外側へ移動させる形状に、上記カム面１３７ａが形成され、前記折ブレード用第一サブカム１３８Ａは、前記第一の位置Ｐ３８１に位置付けされていると、前記折ブレード１３２ａ〜１３２ｄが前記第二の上くわえ胴１４０と対向するときに、上記折ブレード用カムフォロア１３４ｂ，１３４ｄを前記カム面１３８Ａａに載せることなく上記折ブレード用カムフォロア１３４ａ，１３４ｃのみを前記カム面１３８Ａａに載せることにより、前記折ブレード１３２ａ，１３２ｃを前記第一のくわえ胴１３０の外周面よりも径方向内側へ没入させたままの状態とするように上記折ブレード用カムフォロア１３４ａ，１３４ｃをそのまま移動させ、前記第三の位置Ｐ３８３に位置付けされていると、前記折ブレード１３２ａ〜１３２ｄが前記第二の下くわえ胴１５０と対向するときに、上記折ブレード用カムフォロア１３４ｂ，１３４ｄを前記カム面１３８Ａａに載せることなく上記折ブレード用カムフォロア１３４ａ，１３４ｃのみを前記カム面１３８Ａａに載せることにより、前記折ブレード１３２ａ，１３２ｃを前記第一のくわえ胴１３０の外周面よりも径方向内側へ没入させたままの状態とするように上記折ブレード用カムフォロア１３４ａ，１３４ｃをそのまま移動させ、前記第二の位置Ｐ３８２に位置付けされていると、前記折ブレード１３２ａ〜１３２ｄが前記第二の上くわえ胴１４０及び前記第二の下くわえ胴１５０と対向するときに、上記折ブレード用カムフォロア１３４ｂ，１３４ｄを前記カム面１３８Ａａに載せることなく上記折ブレード用カムフォロア１３４ａ，１３４ｃのみを前記カム面１３８Ａａに載せることにより、前記折ブレード１３２ａ，１３２ｃを前記第一のくわえ胴１３０の外周面よりも径方向内側へ没入させたままの状態とするように上記折ブレード用カムフォロア１３４ａ，１３４ｃをそのまま移動させる形状に、上記カム面１３８Ａａが形成され、前記折ブレード用第二サブカム１３８Ｂは、前記第一の位置Ｐ３８１に位置付けされていると、前記折ブレード１３２ａ〜１３２ｄが前記第二の上くわえ胴１４０と対向するときに、上記折ブレード用カムフォロア１３４ａ，１３４ｃを前記カム面１３８Ａａに載せることなく上記折ブレード用カムフォロア１３４ｂ，１３４ｄのみを前記カム面１３８Ｂａに載せることにより、前記折ブレード１３２ｂ，１３２ｄを前記第一のくわえ胴１３０の外周面よりも径方向内側へ没入させたままの状態とするように上記折ブレード用カムフォロア１３４ｂ，１３４ｄをそのまま移動させ、前記第三の位置Ｐ３８３に位置付けされていると、前記折ブレード１３２ａ〜１３２ｄが前記第二の下くわえ胴１５０と対向するときに、上記折ブレード用カムフォロア１３４ａ，１３４ｃを前記カム面１３８Ｂａに載せることなく上記折ブレード用カムフォロア１３４ｂ，１３４ｄのみを前記カム面１３８Ｂａに載せることにより、前記折ブレード１３２ｂ，１３２ｄを前記第一のくわえ胴１３０の外周面よりも径方向内側へ没入させたままの状態とするように上記折ブレード用カムフォロア１３４ｂ，１３４ｄをそのまま移動させ、前記第二の位置Ｐ３８２に位置付けされていると、前記折ブレード１３２ａ〜１３２ｄが前記第二の上くわえ胴１４０及び前記第二の下くわえ胴１５０と対向するときに、上記折ブレード用カムフォロア１３４ａ，１３４ｃを前記カム面１３８Ｂａに載せることなく上記折ブレード用カムフォロア１３４ｂ，１３４ｄのみを前記カム面１３８Ｂａに載せることにより、前記折ブレード１３２ｂ，１３２ｄを前記第一のくわえ胴１３０の外周面よりも径方向内側へ没入させたままの状態とするように上記折ブレード用カムフォロア１３４ｂ，１３４ｄをそのまま移動させる形状に、上記カム面１３８Ｂａが形成されているのである。
【００５８】
〈第二の上くわえ胴のくわえ板装置のカム機構〉
前記第二の上くわえ胴１４０の操作側（図１中、紙面手前側）には、図１６に示すように、外周に所定形状のカム面１４５ａを有する円板状のくわえ板用カム１４５が、その中心を当該第二の上くわえ胴１４０の中心と一致させるようにして設けられており、当該くわえ板用カム１４５は、図１６中、実線で示す第一の位置（くわえ替え有り位置）Ｐ４５１と、二点鎖線で示す第二の位置（くわえ替え無し位置）Ｐ４５２とに切り換えできるように移動可能となっている。
【００５９】
前記第二の上くわえ胴１４０の操作側（図１中、紙面手前側）には、前記くわえ板装置１４１ｂ，１４１ｄのくわえ板を開閉させるように移動可能なくわえ板用カムフォロア１４３ｂ，１４３ｄが、当該第二の上くわえ胴１４０の回転に伴って公転移動できるようにそれぞれ設けられている。
【００６０】
前記くわえ板用カムフォロア１４３ｂ，１４３ｄは、前記第二の上くわえ胴１４０の径方向外側への移動に伴って、前記くわえ板装置１４１ｂ，１４１ｄのくわえ板を開放すると共に、前記第二の上くわえ胴１４０の径方向内側への移動に伴って、前記くわえ板装置１４１ｂ，１４１ｄのくわえ板を閉鎖することができるように、当該くわえ板装置１４１ｂ，１４１ｄのくわえ板に対してそれぞれ連結されている。
【００６１】
前記くわえ板用カムフォロア１４３ｂ，１４３ｄは、前記くわえ板用カム１４５の前記カム面１４５ａ上を転動できるようにトーションバー等の図示しない付勢手段によって当該カム面１４５ａに対してそれぞれ付勢されている。
【００６２】
つまり、前記くわえ板用カム１４５は、前記第一の位置Ｐ４５１に位置付けされていると、前記くわえ板装置１４１ｂ，１４１ｄが前記第一のくわえ胴１３０と対向するときに、上記くわえ板装置１４１ｂ，１４１ｄのくわえ板を開放状態から閉鎖状態となるように前記くわえ板用カムフォロア１４３ｂ，１４３ｄを径方向内側へ移動させると共に、前記くわえ板装置１４１ｂ，１４１ｄが前記上搬送ベルト１６１と連絡するときに、上記くわえ板装置１４１ｂ，１４１ｄのくわえ板を閉鎖状態から開放状態となるように前記くわえ板用カムフォロア１４３ｂ，１４３ｄを径方向外側へ移動させ、前記第二の位置Ｐ４５２に位置付けされていると、前記くわえ板装置１４１ｂ，１４１ｄが前記第一のくわえ胴１３０と対向するとき及び前記上搬送ベルト１６１と連絡するときに、上記くわえ板装置１４１ｂ，１４１ｄのくわえ板を閉鎖させたままの状態とするように前記くわえ板用カムフォロア１４３ｂ，１４３ｄを径方向外側へ位置させたままの状態で移動させる形状に、上記カム面１４５ａが形成されているのである。
【００６３】
〈第二の上くわえ胴のくわえ爪装置のカム機構〉
前記第二の上くわえ胴１４０の原動機側（図１中、紙面奥側）には、図１７に示すように、外周に所定形状のカム面１４７ａを有する円板状のくわえ爪用メインカム１４７が、その中心を当該第二の上くわえ胴１４０の中心と一致させるようにして設けられており、当該くわえ爪用メインカム１４７は、図１７中、実線で示す第一の位置（くわえ替え有り位置）Ｐ４７１と、二点鎖線で示す第二の位置（くわえ替え無し位置）Ｐ４７２とに切り換えできるように移動可能となっている。
【００６４】
前記第二の上くわえ胴１４０の原動機側（図１中、紙面奥側）の前記くわえ爪用メインカム１４７と当該第二の上くわえ胴１４０との間となる位置には、図１８に示すように、外周に所定形状のカム面１４８ａを有する扇状のくわえ爪用サブカム１４８が、当該第二の上くわえ胴１４０の中心を中心にして円弧移動できるように設けられており、当該くわえ爪用サブカム１４８は、図１８中、実線で示す第一の位置（くわえ替え有り位置）Ｐ４８１と、二点鎖線で示す第二の位置（くわえ替え無し位置）Ｐ４８２とに切り換えできるように移動可能となっている。
【００６５】
前記第二の上くわえ胴１４０の原動機側（図１中、紙面奥側）には、前記くわえ爪装置１４２ｂ，１４２ｄのくわえ爪を開閉させるように移動可能なくわえ爪用カムフォロア１４４ｂ，１４４ｄが、当該第二の上くわえ胴１４０の回転に伴って公転移動できるようにそれぞれ設けられている。
【００６６】
前記くわえ爪用カムフォロア１４４ｂ，１４４ｄは、前記第二の上くわえ胴１４０の径方向外側への移動に伴って、前記くわえ爪装置１４２ｂ，１４２ｄのくわえ爪を開放すると共に、前記第二の上くわえ胴１４０の径方向内側への移動に伴って、前記くわえ爪装置１４２ｂ，１４２ｄのくわえ爪を閉鎖することができるように、当該くわえ爪装置１４２ｂ，１４２ｄのくわえ爪に対してそれぞれ連結されている。
【００６７】
図１９に示すように、前記くわえ爪用カムフォロア１４４ｂは、前記くわえ爪用メインカム１４７の前記カム面１４７ａ及び前記くわえ爪用サブカム１４８の前記カム面１４８ａの両方に当接するように、その軸方向の位置が設定されると共に、当該カム１４７，１４８の当該カム面１４７ａ，１４８ａ上を転動できるようにトーションバー等の図示しない付勢手段によって当該カム面１４７ａ，１４８ａに対して付勢されている。
【００６８】
前記くわえ爪用カムフォロア１４４ｄは、前記くわえ爪用メインカム１４７の前記カム面１４７ａに当接する一方、前記くわえ爪用サブカム１４８の前記カム面１４８ａに当接することのないように、その軸方向の位置が設定されると共に、当該カム１４７の当該カム面１４７ａ上を転動できるようにトーションバー等の図示しない付勢手段によって当該カム面１４７ａに対して付勢されている。
【００６９】
つまり、前記くわえ爪用メインカム１４７は、前記第一の位置Ｐ４７１に位置付けされていると、前記くわえ爪装置１４２ｂ，１４２ｄが前記第一のくわえ胴１３０と対向するときに、上記くわえ爪装置１４２ｂ，１４２ｄのくわえ爪を開放状態から閉鎖状態となるように前記くわえ爪用カムフォロア１４４ｂ，１４４ｄを径方向内側へ移動させると共に、前記くわえ爪装置１４２ｂ，１４２ｄが前記上搬送ベルト１６１と連絡するときに、上記くわえ爪装置１４２ｂ，１４２ｄのくわえ板を閉鎖状態から開放状態となるように前記くわえ爪用カムフォロア１４４ｂ，１４４ｄを径方向外側へ移動させ、前記第二の位置Ｐ４７２に位置付けされていると、前記くわえ爪装置１４２ｂ，１４２ｄが前記第一のくわえ胴１３０と対向するときに、上記くわえ爪装置１４２ｂ，１４２ｄのくわえ爪を開放させた状態で通過させるように前記くわえ爪用カムフォロア１４４ｂ，１４４ｄを径方向外側へ位置させた状態で移動させると共に、前記くわえ爪装置１４２ｂ，１４２ｄが前記上搬送ベルト１６１と連絡するときに、上記くわえ爪装置１４２ｂ，１４２ｄのくわえ爪を閉鎖させた状態で通過させるように前記くわえ爪用カムフォロア１４４ｂ，１４４ｄを径方向内側へ位置させた状態で移動させる形状に、上記カム面１４７ａが形成され、前記くわえ爪用サブカム１４８は、前記第一の位置Ｐ４８１に位置付けされていると、前記くわえ爪装置１４２ｂ，１４２ｄが前記第一のくわえ胴１３０と対向するときに、上記くわえ爪用カムフォロア１４４ｄを前記カム面１４８ａに載せることなく上記くわえ爪用カムフォロア１４４ｂのみを前記カム面１３７ａに載せることにより、上記くわえ爪装置１４２ｂのくわえ爪を開放状態から閉鎖状態となるように前記くわえ爪用カムフォロア１４４ｂを径方向内側へ移動させ、前記第二の位置Ｐ４８２に位置付けされていると、前記くわえ爪装置１４２ｂ，１４２ｄが前記第一のくわえ胴１３０と対向するときに、上記くわえ爪用カムフォロア１４４ｄを前記カム面１４８ａに載せることなく上記くわえ爪用カムフォロア１４４ｂのみを前記カム面１３７ａに載せることにより、上記くわえ爪装置１４２ｂのくわえ爪を開放させた状態で通過させるように前記くわえ爪用カムフォロア１４４ｂを径方向外側へ位置させた状態で移動させる形状に、上記カム面１４８ａが形成されているのである。
【００７０】
〈第二の下くわえ胴のくわえ板装置のカム機構〉
前記第二の下くわえ胴１５０の操作側（図１中、紙面手前側）には、図２０に示すように、外周に所定形状のカム面１５５ａを有する円板状のくわえ板用メインカム１５５が、その中心を当該第二の下くわえ胴１５０の中心と一致させるようにして設けられており、当該くわえ板用メインカム１５５は、図２０に示す規定位置（くわえ替え有り位置）に位置決め固定されている。
【００７１】
前記第二の下くわえ胴１５０の操作側（図１中、紙面手前側）の前記くわえ板用メインカム１５５と当該第二の下くわえ胴１５０との間となる位置には、図２１に示すように、外周に所定形状のカム面１５６ａを有する扇状のくわえ板用サブカム１５６が、当該第二の下くわえ胴１５０の中心を中心にして円弧移動できるように設けられており、当該くわえ板用サブカム１５６は、図２１中、実線で示す第一の位置（くわえ替え有り位置）Ｐ５６１と、二点鎖線で示す第二の位置（くわえ替え無し位置）Ｐ５６２とに切り換えできるように移動可能となっている。
【００７２】
前記第二の下くわえ胴１５０の操作側（図１中、紙面手前側）には、前記くわえ板装置１５１ａ〜１５１ｃのくわえ板を開閉させるように移動可能なくわえ板用カムフォロア１５３ａ〜１５３ｃが、当該第二の上くわえ胴１４０の回転に伴って公転移動できるようにそれぞれ設けられている。
【００７３】
前記くわえ板用カムフォロア１５３ａ〜１５３ｃは、前記第二の下くわえ胴１５０の径方向外側への移動に伴って、前記くわえ板装置１５１ａ〜１５１ｃのくわえ板を開放すると共に、前記第二の下くわえ胴１５０の径方向内側への移動に伴って、前記くわえ板装置１５１ａ〜１５１ｃのくわえ板を閉鎖することができるように、当該くわえ板装置１５１ａ〜１５１ｃのくわえ板に対してそれぞれ連結されている。
【００７４】
前記くわえ板用カムフォロア１５３ａ〜１５３ｃは、前記くわえ板用メインカム１５５の前記カム面１５５ａ及び前記くわえ板用サブカム１５６の前記カム面１５６ａ上を転動できるようにトーションバー等の図示しない付勢手段によって当該カム面１５５ａ，１５６ａに対してそれぞれ付勢されている。
【００７５】
つまり、前記くわえ板用メインカム１５５は、前記くわえ板装置１５１ａ〜１５１ｃが前記第一のくわえ胴１３０と対向するとき及び前記下搬送ベルト１６２と連絡するときに、上記くわえ板装置１５１ａ〜１５１ｃのくわえ板を閉鎖させたままの状態とするように前記くわえ板用カムフォロア１５３ａ〜１５３ｃを径方向内側へ位置させたままの状態で移動させる形状に、上記カム面１５５ａが形成され、前記くわえ板用サブカム１５６は、前記第一の位置Ｐ５６１に位置付けされていると、前記くわえ板装置１５１ａ〜１５１ｃが前記第一のくわえ胴１３０と対向するときに、上記くわえ板装置１５１ａ〜１５１ｃのくわえ板を開放状態から閉鎖状態となるように前記くわえ板用カムフォロア１５３ａ〜１５３ｃを径方向内側へ移動させると共に、前記くわえ板装置１５１ａ〜１５１ｃが前記下搬送ベルト１６２と連絡するときに、上記くわえ板装置１５１ａ〜１５１ｃのくわえ板を閉鎖状態から開放状態となるように前記くわえ板用カムフォロア１５３ａ〜１５３ｃを径方向外側へ移動させ、前記第二の位置Ｐ５６２に位置付けされていると、前記くわえ板装置１５１ａ〜１５１ｃが前記第一のくわえ胴１３０と対向するとき及び前記下搬送ベルト１６２と連絡するときに、上記くわえ板装置１５１ａ〜１５１ｃのくわえ板を開放させたままの状態とするように前記くわえ板用カムフォロア１５３ａ〜１５３ｃを径方向外側へ位置させたままの状態で移動させる形状に、上記カム面１５６ａが形成されているのである。
【００７６】
〈第二の下くわえ胴のくわえ爪装置のカム機構〉
前記第二の下くわえ胴１５０の原動機側（図１中、紙面奥側）には、図２２に示すように、外周に所定形状のカム面１５７ａを有する円板状のくわえ爪用カム１５７が、その中心を当該第二の下くわえ胴１５０の中心と一致させるようにして設けられており、当該くわえ爪用カム１５７は、図２２に示す規定位置（くわえ替え有り位置）に位置決め固定されている。
【００７７】
前記第二の下くわえ胴１５０の原動機側（図１中、紙面奥側）には、前記くわえ爪装置１５２ａ〜１５２ｃのくわえ爪を開閉させるように移動可能なくわえ爪用カムフォロア１５４ａ〜１５４ｃが、当該第二の下くわえ胴１５０の回転に伴って公転移動できるようにそれぞれ設けられている。
【００７８】
前記くわえ爪用カムフォロア１５４ａ〜１５４ｃは、前記第二の下くわえ胴１５０の径方向外側への移動に伴って、前記くわえ爪装置１５２ａ〜１５２ｃのくわえ爪を開放すると共に、前記第二の下くわえ胴１５０の径方向内側への移動に伴って、前記くわえ爪装置１５２ａ〜１５２ｃのくわえ爪を閉鎖することができるように、当該くわえ爪装置１５２ａ〜１５２ｃのくわえ爪に対してそれぞれ連結されている。
【００７９】
前記くわえ爪用カムフォロア１５４ａ〜１５４ｃは、前記くわえ爪用カム１５７の前記カム面１５７ａ上を転動できるようにトーションバー等の図示しない付勢手段によって当該カム面１５７ａに対して付勢されている。
【００８０】
つまり、前記くわえ爪用カム１５７は、前記くわえ爪装置１５２ａ〜１５２ｃが前記第一のくわえ胴１３０と対向するときに、上記くわえ爪装置１５２ａ〜１５２ｃのくわえ爪を開放状態から閉鎖状態となるように前記くわえ爪用カムフォロア１５４ａ〜１５４ｂを径方向内側へ移動させると共に、前記くわえ爪装置１５２ａ〜１５２ｃが前記下搬送ベルト１６２と連絡するときに、上記くわえ爪装置１５２ａ〜１５２ｃのくわえ板を閉鎖状態から開放状態となるように前記くわえ爪用カムフォロア１５４ａ〜１５４ｃを径方向外側へ移動させる形状に、上記カム面１５７ａが形成されているのである。
【００８１】
〈折仕様等設定制御機構〉
図２３に示すように、前記折胴１２０の前記第一の胴本体１２０Ａと前記第二の胴本体１２０Ｂとを周方向へ相対的に移動させる駆動モータ１７１と、前記第一のくわえ胴１３０の前記第一の胴本体１３０Ａと前記第二の胴本体１３０Ｂとを周方向へ相対的に移動させる駆動モータ１７２と、前記断裁待機胴１１０の前記針用カム１１５を回転駆動する駆動モータ１８１と、前記折胴１２０の前記針用サブカム１２６を移動させるアクチュエータ１８２と、前記第一のくわえ胴１３０の前記くわえ板用第一〜三サブカム１３６Ａ〜１３６Ｃ，前記折ブレード用メインカム１３７，前記折ブレード用第一，二サブカム１３８Ａ，１３８Ｂをそれぞれ移動させる各アクチュエータ１８３Ａ〜１８３Ｃ，１８４，１８５Ａ，１８５Ｂと、前記第二の上くわえ胴１４０の前記くわえ板用カム１４５，前記くわえ爪用メインカム１４７，前記くわえ爪用サブカム１４８をそれぞれ移動させる各アクチュエータ１８６〜１８８と、前記第二の下くわえ胴１５０の前記くわえ板用サブカム１５６を移動させるアクチュエータ１８９とは、制御手段である制御装置１９０の出力部にそれぞれ電気的に接続されている。前記制御装置１９０の入力部には、折丁のシートの枚数を入力される枚数入力部１９１ａと、折丁の搬送経路を入力される搬送経路入力部１９１ｂと、折仕様を入力される折仕様入力部１９１ｃとを有する入力手段である入力器１９１が電気的に接続されており、当該制御装置１９０は、当該入力器１９１の当該入力部１９１ａ〜１９１ｃに入力された情報に基づいて、前記モータ１７１，１７２，１８１及び前記アクチュエータ１８２〜１８９の作動を制御することができるようになっている（詳細は後述する）。
【００８２】
なお、本実施形態においては、前記くわえ板装置１４１ｂ，１４１ｄ及び前記くわえ爪装置１４２ｂ，１４２ｄ等により第二の上流側くわえ胴用保持手段を構成し、前記くわえ板装置１５１ａ〜１５１ｃ及び前記くわえ爪装置１５２ａ〜１５２ｃ等により第二の下流側くわえ胴用保持手段を構成し、前記折胴１２０の前記第一，二の胴本体１２０Ａ，１２０Ｂ及び前記波動歯車装置、前記第一のくわえ胴１３０の前記第一，二の胴本体１３０Ａ，１３０Ｂ及び前記波動歯車装置、前記胴１２０，１３０，１４０，１５０の同期回転機構、前記駆動モータ１７１，１７２等により、折位置調整手段を構成し、前記断裁待機胴１１０の前記針用カムフォロア１１３ａ〜１１３ｃ、前記針用カム１１５、前記折胴１２０の前記針用カムフォロア１２３ａ〜１２３ｄ、前記針用メインカム１２５、前記針用サブカム１２６、前記駆動モータ１８１、前記アクチュエータ１８２等により、枚数切換手段を構成し、前記第一のくわえ胴１３０の前記くわえ板用カムフォロア１３３ａ〜１３３ｄ、前記折ブレード用カムフォロア１３４ａ〜１３４ｄ、前記くわえ板用第一〜三サブカム１３６Ａ〜１３６Ｃ、前記折ブレード用メインカム１３７、前記折ブレード用第一，二サブカム１３８Ａ，１３８Ｂ、前記第二の上くわえ胴１４０の前記くわえ板用カムフォロア１４３ｂ，１４３ｄ、前記くわえ爪用カムフォロア１４４ｂ，１４４ｄ、前記くわえ板用カム１４５、前記くわえ爪用メインカム１４７、前記くわえ爪用サブカム１４８、前記第二の下咥え胴１５０の前記くわえ板用カムフォロア１５３ａ〜１５３ｃ、前記くわえ板用メインカム１５５、前記くわえ板用サブカム１５６、前記アクチュエータ１８３Ａ〜１８３Ｃ，１８４〜１８９等により、折回数切換手段と搬送経路切換手段との両方を構成している。
【００８３】
このような本実施形態に係る折機の作動を図２４〜４０に基づいて次に説明する。
【００８４】
〈ノンコレクト／平行一回折り／下側排出〉
前記入力器１９１の前記入力部１９１ａ〜１９１ｃに、例えば、「ノンコレクト」、「平行一回折り」、「下側排出」をそれぞれ入力すると、前記制御装置１９０は、当該入力器１９１からの情報に基づいて、前記折胴１２０の前記第一の胴本体１２０Ａに対する前記第二の胴本体１２０Ｂの位相（周方向の位置）を平行一回折りの折仕様となるように前記駆動モータ１７１を作動させて当該第二の胴本体１２０Ｂを当該第一の胴本体１２０Ａに対して周方向に相対移動させ、これに伴って、前記くわえ胴１３０，１４０，１５０が同期回転機構により同期回転して位相調整され、さらに、前記第一のくわえ胴１３０の前記第一の胴本体１３０Ａに対する前記第二の胴本体１３０Ｂの位相（周方向の位置）を平行一回折りの折仕様となるように前記駆動モータ１７２を作動させて当該第二の胴本体１３０Ｂを当該第一の胴本体１３０Ａに対して周方向に相対移動させ、これに伴って、前記第二の上くわえ胴１４０及び前記第二の下くわえ胴１５０が同期回転機構によりさらに同期回転して位相調整される。
【００８５】
これにより、平行一回折りの折仕様に調整された前記折胴１２０の前記折ブレード１２２ａ〜１２２ｄの周方向の位置に対応するように、前記第一のくわえ胴１３０の前記くわえ板装置１３１ａ〜１３１ｄの周方向の位置が平行一回折りの位置に調整されると共に、当該くわえ板装置１３１ａ〜１３１ｄの周方向の位置に対応するように、前記第二の上くわえ胴１４０及び前記第二の下くわえ胴１５０の前記くわえ爪装置１４２ｂ，１４２ｄ，１５２ａ〜１５２ｃの周方向の位置が平行一回折りの位置に位相調整される（詳細には前記特許文献１参照）。
【００８６】
引き続き、前記制御装置１９０は、前記断裁待機胴１１０の前記針用カム１１５を前記規定位置（ノンコレクト位置）に位置決め固定するように前記駆動モータ１８１の作動を停止させ（図２参照）、前記折胴１２０の前記針用サブカム１２６を前記第一の位置（ノンコレクト位置）Ｐ２６１に位置付けるように前記アクチュエータ１８２を作動させる（図２４参照）。
【００８７】
さらに、前記制御装置１９０は、前記第一のくわえ胴１３０の前記くわえ板用第一〜三サブカム１３６Ａ〜１３６Ｃを前記第一の位置（下一回折り位置）Ｐ３６１に位置付けるように前記アクチュエータ１８３Ａ〜１８３Ｃを作動させ（図２５参照）、当該第一のくわえ胴１３０の前記折ブレード用メインカム１３７を前記第二の位置（折り無し位置）Ｐ３７２に位置付けるように前記アクチュエータ１８４を作動させると共に前記折ブレード用第一，二サブカム１３８Ａ，１３８Ｂを前記第二の位置（退避位置）Ｐ３８２に位置付けるように前記アクチュエータ１８５Ａ，１８５Ｂを作動させる（図２６参照）。
【００８８】
くわえて、前記制御装置１９０は、前記第二の上くわえ胴１４０の前記くわえ板用カム１４５を前記第二の位置（くわえ替え無し位置）Ｐ４５２に位置付けるように前記アクチュエータ１８６を作動させ（図２７参照）、当該第二の上くわえ胴１４０の前記くわえ爪用メインカム１４７を前記第二の位置（くわえ替え無し位置）Ｐ４７２に位置付けるように前記アクチュエータ１８７を作動させると共に前記くわえ爪用サブカム１４８を前記第二の位置（くわえ替え無し位置）Ｐ４８２に位置付けるように前記アクチュエータ１８８を作動させる（図２８参照）。
【００８９】
他方、前記制御装置１９０は、前記第二の下くわえ胴１５０の前記くわえ板用サブカム１５６を前記第二の位置（くわえ替え無し位置）Ｐ５６２に位置付けるように前記アクチュエータ１８９を作動させる（図２９参照）。
【００９０】
このようにして前記胴１２０，１３０，１４０，１５０の位相及び前記カム１１５，１２６，１３６Ａ〜１３６Ｃ，１３７，１３８Ａ，１３８Ｂ，１４５，１４７，１４８，１５６の位置が設定された後、ウエブ１が前記断裁待機胴１１０と前記折胴１２０との間に送給されると、上記断裁待機胴１１０の前記断裁刃１１１ａ〜１１１ｃが、前記折胴１２０と対向するときに当該ウエブ１を断裁して一枚ずつのシートにする。このとき、前記断裁待機胴１１０の前記針１１２ａ〜１１２ｃは、前記針用カムフォロア１１３ａ〜１１３ｂが径方向外側へ移動することにより、当該断裁待機胴１１０の外周面よりも径方向内側へ没入するため、シートを保持することがない（詳細には前記特許文献１参照）。
【００９１】
そして、前記断裁待機胴１１０に対向した前記折胴１２０の前記針１２１ａは、前記針用カムフォロア１２３ａが当該折胴１２０の径方向内側へ移動することにより、当該折胴１２０の外周面よりも径方向外側へ突出して、シートの搬送方向先端側に突き刺さって当該シートの搬送方向先端側を保持して搬送し、前記第一のくわえ胴１３０との対接位置を通過する。
【００９２】
前記折胴１２０の前記折ブレード１２２ａは、前記第一のくわえ胴１３０と対向するとき、前記折ブレード用カムフォロア１２４ａが当該折胴１２０の径方向内側へ移動することにより、当該折胴１２０の外周面よりも径方向外側へ突出して、前記針１２１ａに保持されている前記シートの搬送方向中程を幅方向全長にわたって押し出す。
【００９３】
このとき、前記第一のくわえ胴１３０の前記くわえ板装置１３１ａが前記折胴１２０に対向して、前記くわえ板用カムフォロア１３３ａが当該第一のくわえ胴１３０の径方向外側へ移動することにより、当該くわえ板装置１３１ａのくわえ板が開放状態となるため、上記折胴１２０の前記折ブレード１２２ａが前記シートの中程を当該くわえ板装置１３１ａの内部に差し込んだ後、当該第一のくわえ胴１３０の上記くわえ板用カムフォロア１３３ａが当該第一のくわえ胴１３０の径方向内側へ移動することにより、当該くわえ板装置１３１ａのくわえ板が閉鎖状態となり、当該くわえ板装置１３１ａが当該シートの中程を保持、すなわち、シートを二つ折りにした状態で保持して搬送する。
【００９４】
前記第一のくわえ胴１３０は、前記くわえ板装置１３１ａが前記第二の上くわえ胴１４０と対向するとき、前記くわえ板用カムフォロア１３３ａが径方向内側に位置したまま移動することにより、当該くわえ板装置１３１ａのくわえ板を開放状態にさせることなく閉鎖状態のまま当該くわえ板装置１３１ａが前記シートを保持した状態で通過する。なお、前記第一のくわえ胴１３０の前記折ブレード１３２ａは、前記第二の上くわえ胴１４０と対向するとき、当該第一のくわえ胴１３０の前記折ブレード用カムフォロア１３４ａが、当該第一のくわえ胴１３０の径方向外側に位置したまま移動するため、当該第一のくわえ胴１３０の外周面よりも径方向内側へ没入した状態で通過する。
【００９５】
他方、前記第二の上くわえ胴１４０は、前記くわえ爪装置１４２ｂが前記第一のくわえ胴１３０と対向するとき、前記くわえ爪用カムフォロア１４４ｂが径方向外側に位置するように移動することにより、当該くわえ爪装置１４２ｂのくわえ爪を開放させた状態で通過させ、上記第一のくわえ胴１３０の前記くわえ板装置１３１ａのシートをくわえることはない。なお、前記第二の上くわえ胴１４０の前記くわえ板装置１４１ｂは、前記第一のくわえ胴１３０と対向するとき、当該第二の上くわえ胴１４０の前記くわえ板用カムフォロア１４３ｂが、当該第二の上くわえ胴１４０の径方向外側に位置したまま移動するため、くわえ板を開放させたままの状態で通過する。
【００９６】
そして、前記第一のくわえ胴１３０は、前記くわえ板装置１３１ａが前記第二の下くわえ胴１５０と対向するとき、前記くわえ板用カムフォロア１３３ａが径方向外側へ移動することにより、当該くわえ板装置１３１ａのくわえ板が開放状態となる。なお、前記第一のくわえ胴１３０の前記折ブレード１３２ａは、前記第二の下くわえ胴１５０と対向するとき、前記折ブレード用カムフォロア１３４ａが当該第一のくわえ胴１３０の径方向外側に位置したまま移動するため、当該第一のくわえ胴１３０の外周面よりも径方向内側へ没入したまま通過する。
【００９７】
他方、前記第二の下くわえ胴１５０は、前記くわえ爪装置１５２ａが前記第一のくわえ胴１３０と対向するとき、前記くわえ爪用カムフォロア１５４ａが径方向外側から内側へ移動することにより、当該くわえ爪装置１５２ａのくわえ爪が開放状態から閉鎖状態となり、当該くわえ爪装置１５２ａが上記第一のくわえ胴１３０の前記くわえ板装置１３１ａからシートを受け取って保持搬送する。なお、前記第二の下くわえ胴１５０の前記くわえ板装置１５１ａは、前記第一のくわえ胴１３０と対向するとき、当該第二の下くわえ胴１５０の前記くわえ板用カムフォロア１５３ａが、当該第二の下くわえ胴１５０の径方向外側に位置したまま移動するため、くわえ板を開放させたままの状態で通過する。
【００９８】
そして、前記第二の下くわえ胴１５０は、前記くわえ爪装置１５２ａが前記下搬送ベルト１６２と対向するとき、前記くわえ爪用カムフォロア１５４ａが径方向内側から外側へ移動することにより、当該くわえ爪装置１５２ａのくわえ爪が閉鎖状態から開放状態となり、上記下搬送ベルト１６２へシートを受け渡す。
【００９９】
なお、前記胴１１０，１２０，１３０，１４０，１５０の前記針１１２ｂ，１１２ｃ，１２１ｂ〜１２１ｄ、前記折ブレード１２２ｂ〜１２２ｄ，１３２ｂ〜１３２ｄ、前記くわえ板装置１３１ｂ〜１３１ｄ，１４１ｄ，１５１ｂ，１５１ｃにおいても、上述と同様にして作動する。
【０１００】
〈ノンコレクト／平行二回折り／下側排出〉
また、前記入力器１９１の前記入力部１９１ａ〜１９１ｃに、例えば、「ノンコレクト」、「平行二回折り」、「下側排出」をそれぞれ入力すると、前記制御装置１９０は、前述した平行一回折りの場合と同様に、当該入力器１９１からの情報に基づいて、前記折胴１２０の前記第一の胴本体１２０Ａに対する前記第二の胴本体１２０Ｂの位相（周方向の位置）を平行二回折りの折仕様となるように前記駆動モータ１７１を作動させて当該第二の胴本体１２０Ｂを当該第一の胴本体１２０Ａに対して周方向に相対移動させ、これに伴って、前記くわえ胴１３０，１４０，１５０が同期回転機構により同期回転して位相調整され、さらに、前記第一のくわえ胴１３０の前記第一の胴本体１３０Ａに対する前記第二の胴本体１３０Ｂの位相（周方向の位置）を平行二回折りの折仕様となるように前記駆動モータ１７２を作動させて当該第二の胴本体１３０Ｂを当該第一の胴本体１３０Ａに対して周方向に相対移動させ、これに伴って、前記第二の上くわえ胴１４０及び前記第二の下くわえ胴１５０が同期回転機構によりさらに同期回転して位相調整される。
【０１０１】
これにより、平行二回折りの折仕様に調整された前記折胴１２０の前記折ブレード１２２ａ〜１２２ｄの周方向の位置に対応するように、前記第一のくわえ胴１３０の前記くわえ板装置１３１ａ〜１３１ｄの周方向の位置が平行二回折りの位置に調整されると共に、当該くわえ板装置１３１ａ〜１３１ｄの周方向の位置に対応して平行二回折りの折仕様に調整された当該第一のくわえ胴１３０の前記折ブレード１３２ａ〜１３２ｄの周方向の位置に対応するように、前記第二の上くわえ胴１４０及び前記第二の下くわえ胴１５０の前記くわえ板装置１４１ｂ，１４１ｄ，１５１ａ〜１５１ｃの周方向の位置が平行二回折りの位置に位相調整される（詳細には前記特許文献１参照）。
【０１０２】
そして、前記制御装置１９０は、前述した平行一回折りの場合と同様な位置に前記断裁待機胴１１０の前記針用カム１１５を位置付けるように前記駆動モータ１８１の作動を停止させると共に（図２参照）、前記胴１２０，１４０の前記カム１２６，１４５，１４７，１４８を位置付けるように前記アクチュエータ１８２，１８６〜１８８を作動させる（図２４，２７，２８参照）。
【０１０３】
他方、前記制御装置１９０は、前記第一のくわえ胴１３０の前記くわえ板用第一〜三サブカム１３６Ａ〜１３６Ｃを前記第二の位置（下二回折り位置）Ｐ３６２に位置付けるように前記アクチュエータ１８３Ａ〜１８３Ｃを作動させ（図３０参照）、当該第一のくわえ胴１３０の前記折ブレード用メインカム１３７を前記第一の位置（折り有り位置）Ｐ３７１に位置付けるように前記アクチュエータ１８４を作動させると共に前記折ブレード用第一，二サブカム１３８Ａ，１３８Ｂを前記第一の位置（上折り無し位置）Ｐ３８１に位置付けるように前記アクチュエータ１８５Ａ，１８５Ｂを作動させる（図３１参照）。
【０１０４】
さらに、前記制御装置１９０は、前記第二の下くわえ胴１５０の前記くわえ板用サブカム１５６を前記第一の位置（くわえ替え有り位置）Ｐ５６１に位置付けるように前記アクチュエータ１８９を作動させる（図３２参照）。
【０１０５】
このようにして前記胴１２０，１３０，１４０，１５０の位相及び前記カム１１５，１２６，１３６Ａ〜１３６Ｃ，１３７，１３８Ａ，１３８Ｂ，１４５，１４７，１４８，１５６の位置が設定された後、ウエブ１が前記断裁待機胴１１０と前記折胴１２０との間に送給されると、前述した平行一回折りの場合と同様に、上記断裁待機胴１１０の前記断裁刃１１１ａ〜１１１ｃが、前記折胴１２０と対向するときに当該ウエブ１を断裁して一枚ずつのシートにした後、当該折胴１２０の前記針１２１ａが、シートの搬送方向先端側に突き刺さって当該シートの搬送方向先端側を保持して搬送し、前記第一のくわえ胴１３０との対接位置を通過し、当該折胴１２０の前記折ブレード１２２ａが、上記第一のくわえ胴１３０と対向するとき、当該折胴１２０の外周面よりも径方向外側へ出没すると共に、上記第一のくわえ胴１３０の前記くわえ板装置１３１ａのくわえ板が開閉することにより、当該折胴１２０の上記針１２１ａから当該第一のくわえ胴１３０の当該くわえ板装置１３１ａにシートが二つ折りにされた状態でくわえ替えされて搬送される。
【０１０６】
そして、前記第一のくわえ胴１３０は、前記くわえ板装置１３１ａが前記第二の下くわえ胴１５０と対向するとき、前記くわえ板用カムフォロア１３３ａが径方向内側に位置したまま移動することにより、当該くわえ板装置１３１ａのくわえ板を閉鎖させた状態、すなわち、当該くわえ板装置１３１ａでシートを保持したまま通過させると共に、前記折ブレード１３２ａが前記第二の下くわえ胴１５０と対向するとき、前記折ブレード用カムフォロア１３４ａが当該第一のくわえ胴１３０の径方向内側へ移動することにより、当該第一のくわえ胴１３０の外周面よりも径方向外側へ突出して、前記くわえ板装置１３１ａに二つ折り状態で保持されている前記シートの搬送方向中程を幅方向全長にわたって押し出すと共に、上記くわえ板用カムフォロア１３３ａが径方向外側へ移動することにより、当該くわえ板装置１３１ａのくわえ板が開放状態となる。
【０１０７】
このとき、前記第二の下くわえ胴１５０の前記くわえ板装置１５１ａが前記第一のくわえ胴１３０に対向して、当該第二の下くわえ胴１５０の前記くわえ板用カムフォロア１５３ａが当該第二の下くわえ胴１５０の径方向外側から内側へ移動することにより、当該くわえ板装置１５１ａのくわえ板が開放状態から閉鎖状態に移行するため、上記第一のくわえ胴１３０の前記折ブレード１３２ａで中程を突出された二つ折りの前記シートの当該中程が当該第二の下くわえ胴１５０の当該くわえ板装置１５１ａの内部に差し込まれて当該くわえ板装置１５１ａに保持、すなわち、上記第一のくわえ胴１３０から四つ折りにされた状態で当該シートが上記第二の下くわえ胴１５０にくわえ替えされて保持搬送される。
【０１０８】
なお、前記第二の下くわえ胴１５０の前記くわえ爪装置１５２ａは、前記第一のくわえ胴１３０と対向するとき、当該第二の下くわえ胴１５０の前記くわえ爪用カムフォロア１５４ａが、当該第二の下くわえ胴１５０の径方向内側に位置するように移動するため、くわえ爪を閉鎖させたままの状態で通過する。
【０１０９】
そして、前記第二の下くわえ胴１５０は、前記くわえ板装置１５１ａが前記下搬送ベルト１６２と対向するとき、前記くわえ板用カムフォロア１５３ａが径方向内側から外側へ移動することにより、当該くわえ板装置１５１ａのくわえ板が閉鎖状態から開放状態となり、上記下搬送ベルト１６２へシートを受け渡す。
【０１１０】
なお、前記胴１１０，１２０，１３０，１４０，１５０の前記針１１２ｂ，１１２ｃ，１２１ｂ〜１２１ｄ、前記折ブレード１２２ｂ〜１２２ｄ，１３２ｂ〜１３２ｄ、前記くわえ板装置１３１ｂ〜１３１ｄ，１４１ｄ，１５１ｂ，１５１ｃにおいても、上述と同様にして作動する。
【０１１１】
〈ノンコレクト／デルタ折り／下側排出〉
また、前記入力器１９１の前記入力部１９１ａ〜１９１ｃに、例えば、「ノンコレクト」、「デルタ折り」、「下側排出」をそれぞれ入力すると、前記制御装置１９０は、前述した平行一回折りの場合と同様に、当該入力器１９１からの情報に基づいて、前記折胴１２０の前記第一の胴本体１２０Ａに対する前記第二の胴本体１２０Ｂの位相（周方向の位置）をデルタ折りの折仕様となるように前記駆動モータ１７１を作動させて当該第二の胴本体１２０Ｂを当該第一の胴本体１２０Ａに対して周方向に相対移動させ、これに伴って、前記くわえ胴１３０，１４０，１５０が同期回転機構により同期回転して位相調整され、さらに、前記第一のくわえ胴１３０の前記第一の胴本体１３０Ａに対する前記第二の胴本体１３０Ｂの位相（周方向の位置）をデルタ折りの折仕様となるように前記駆動モータ１７２を作動させて当該第二の胴本体１３０Ｂを当該第一の胴本体１３０Ａに対して周方向に相対移動させ、これに伴って、前記第二の上くわえ胴１４０及び前記第二の下くわえ胴１５０が同期回転機構によりさらに同期回転して位相調整される。
【０１１２】
これにより、デルタ折りの折仕様に調整された前記折胴１２０の前記折ブレード１２２ａ〜１２２ｄの周方向の位置に対応するように、前記第一のくわえ胴１３０の前記くわえ板装置１３１ａ〜１３１ｄの周方向の位置がデルタ折りの位置に調整されると共に、当該くわえ板装置１３１ａ〜１３１ｄの周方向の位置に対応してデルタ折りの折仕様に調整された当該第一のくわえ胴１３０の前記折ブレード１３２ａ〜１３２ｄの周方向の位置に対応するように、前記第二の上くわえ胴１４０及び前記第二の下くわえ胴１５０の前記くわえ板装置１４１ｂ，１４１ｄ，１５１ａ〜１５１ｃの周方向の位置がデルタ折りの位置に位相調整される（詳細には前記特許文献１参照）。
【０１１３】
そして、前記制御装置１９０は、前述した平行一回折りの場合と同様な位置に前記断裁待機胴１１０の前記針用カム１１５を位置付けるように前記駆動モータ１８１の作動を停止させると共に（図２参照）、前記胴１２０，１４０の前記カム１２６，１４５，１４７，１８を位置付けるように前記アクチュエータ１８２，１８６〜１８８を作動させ（図２４，２７，２８参照）、前述した平行二回折りの場合と同様な位置に前記胴１３０，１５０の前記カム１３７，１３８Ａ，１３８Ｂ，１５６を位置付けるように前記アクチュエータ１８４，１８５Ａ，１８５Ｂ，１８９を作動させる（図３１，３２参照）。
【０１１４】
他方、前記制御装置１９０は、前記第一のくわえ胴１３０の前記くわえ板用第一〜三サブカム１３６Ａ〜１３６Ｃを前記第三の位置（下デルタ折り位置）Ｐ３６３に位置付けるように前記アクチュエータ１８３Ａ〜１８３Ｃを作動させる（図３３参照）。
【０１１５】
このようにして前記胴１２０，１３０，１４０，１５０の位相及び前記カム１１５，１２６，１３６Ａ〜１３６Ｃ，１３７，１３８Ａ，１３８Ｂ，１４５，１４７，１４８，１５６の位置が設定された後、ウエブ１が前記断裁待機胴１１０と前記折胴１２０との間に送給されると、前述した平行一回折り及び平行二回折りの場合と同様に、上記断裁待機胴１１０の前記断裁刃１１１ａ〜１１１ｃが、前記折胴１２０と対向するときに当該ウエブ１を断裁して一枚ずつのシートにした後、当該折胴１２０の前記針１２１ａが、シートの搬送方向先端側に突き刺さって当該シートの搬送方向先端側を保持して搬送し、前記第一のくわえ胴１３０との対接位置を通過し、当該折胴１２０の前記折ブレード１２２ａが、上記第一のくわえ胴１３０と対向するとき、当該折胴１２０の外周面よりも径方向外側へ出没すると共に、上記第一のくわえ胴１３０の前記くわえ板装置１３１ａのくわえ板が開閉することにより、当該折胴１２０の上記針１２１ａから当該第一のくわえ胴１３０の当該くわえ板装置１３１ａにシートが搬送方向中程よりも上流側を二つ折りにされた状態でくわえ替えされて搬送される。
【０１１６】
そして、前記第一のくわえ胴１３０は、前記くわえ板装置１３１ａが前記第二の下くわえ胴１５０と対向するとき、前述した平行二回折りの場合と同様に、当該くわえ板装置１３１ａのくわえ板を閉鎖させた状態、すなわち、当該くわえ板装置１３１ａでシートを保持したまま通過させると共に、前記折ブレード１３２ａが前記第二の下くわえ胴１５０と対向するとき、前記くわえ板装置１３１ａに搬送方向中程よりも上流側を二つ折り状態で保持されている前記シートの搬送方向中程よりも下流側を幅方向全長にわたって押し出すと共に、上記くわえ板用カムフォロア１３３ａが径方向外側へ移動することにより、当該くわえ板装置１３１ａのくわえ板が開放状態となる。
【０１１７】
このとき、前述した平行二回折りの場合と同様に、前記第二の下くわえ胴１５０の前記くわえ板装置１５１ａが前記第一のくわえ胴１３０に対向して、当該くわえ板装置１５１ａのくわえ板が開放状態から閉鎖状態に移行するため、上記第一のくわえ胴１３０の前記折ブレード１３２ａで搬送方向中程よりも下流側を突出された二つ折りの前記シートの当該下流側が当該第二の下くわえ胴１５０の当該くわえ板装置１５１ａの内部に差し込まれて当該くわえ板装置１５１ａに保持、すなわち、上記第一のくわえ胴１３０からデルタ折りされた状態で当該シートが上記第二の下くわえ胴１５０にくわえ替えされて保持搬送される。
【０１１８】
そして、前記第二の下くわえ胴１５０は、前述した平行二回折りの場合と同様に、前記くわえ板装置１５１ａが前記下搬送ベルト１６２と対向するとき、当該くわえ板装置１５１ａのくわえ板が閉鎖状態から開放状態となり、上記下搬送ベルト１６２へシートを受け渡す。
【０１１９】
なお、前記胴１１０，１２０，１３０，１４０，１５０の前記針１１２ｂ，１１２ｃ，１２１ｂ〜１２１ｄ、前記折ブレード１２２ｂ〜１２２ｄ，１３２ｂ〜１３２ｄ、前記くわえ板装置１３１ｂ〜１３１ｄ，１４１ｄ，１５１ｂ，１５１ｃにおいても、上述と同様にして作動する。
【０１２０】
〈ノンコレクト／平行一回折り／上下排出〉
また、前記入力器１９１の前記入力部１９１ａ〜１９１ｃに、例えば、「ノンコレクト」、「平行一回折り」、「上下排出」をそれぞれ入力すると、前記制御装置１９０は、当該入力器１９１からの情報に基づいて、前述した下側排出の平行一回折りの場合と同様にして前記胴１２０，１３０，１４０，１５０の位相（周方向の位置）を調整するように前記駆動モータ１７１，１７２を作動させる。
【０１２１】
そして、前記制御装置１９０は、前述した平行一回折りの場合と同様な位置に前記断裁待機胴１１０の前記針用カム１１５を位置付けるように前記駆動モータ１８１の作動を停止させると共に（図２参照）、前記胴１２０，１３０，１４０の前記カム１２６，１３７，１３８Ａ，１３８Ｂ，１４５，１５６を位置付けるように前記アクチュエータ１８２，１８４〜１８６，１８９を作動させる（図２４，２６，２７，２９参照）。
【０１２２】
他方、前記制御装置１９０は、前記第一のくわえ胴１３０の前記くわえ板用第一サブカム１３６Ａを前記第一の位置（下一回折り位置）Ｐ３６１に位置付けるように前記アクチュエータ１８３Ａを作動させると共に前記くわえ板用第二，三サブカム１３６Ｂ，１３６Ｃを前記第四の位置（上一回折り位置）Ｐ３６４に位置付けるように前記アクチュエータ１８３Ｂ，１８３Ｃを作動させる（図３４参照）。
【０１２３】
さらに、前記制御装置１９０は、前記第二の上くわえ胴１４０の前記くわえ爪用メインカム１４７を前記第一の位置（くわえ替え有り位置）Ｐ４７１に位置付けるように前記アクチュエータ１８７を作動させると共に前記くわえ爪用サブカム１４８を前記第一の位置（くわえ替え有り位置）Ｐ４８１に位置付けるように前記アクチュエータ１８８を作動させる（図３５参照）。
【０１２４】
このようにして前記胴１２０，１３０，１４０，１５０の位相及び前記カム１１５，１２６，１３６Ａ〜１３６Ｃ，１３７，１３８Ａ，１３８Ｂ，１４５，１４７，１４８，１５６の位置が設定された後、ウエブ１が前記断裁待機胴１１０と前記折胴１２０との間に送給されると、前述した下側排出の平行一回折りの場合と同様に、上記断裁待機胴１１０の前記断裁刃１１１ａ〜１１１ｃが、前記折胴１２０と対向するときに当該ウエブ１を断裁して一枚ずつのシートにした後、当該折胴１２０の前記針１２１ａに保持されたシートが、前述した下側排出の平行一回折りの場合と同様に、前記第一のくわえ胴１３０及び前記第二の下くわえ胴１５０を経由して前記下搬送ベルト１６２に平行一回折りの状態で排出される。
【０１２５】
そして、前記折胴１２０の前記針１２１ｂに保持されたシートは、前記針１２１ａに保持されたシートの場合と同様に、当該折胴１２０の上記針１２１ｂから前記第一のくわえ胴１３０の前記くわえ板装置１３１ｂに搬送方向中程を二つ折りにされた状態でくわえ替えされて搬送される。
【０１２６】
前記第一のくわえ胴１３０は、前記くわえ板装置１３１ｂが前記第二の上くわえ胴１４０と対向するとき、前記くわえ板用カムフォロア１３３ｂが径方向外側へ移動することにより、当該くわえ板装置１３１ｂのくわえ板が開放状態となる。
【０１２７】
他方、前記第二の上くわえ胴１４０は、前記くわえ爪装置１４２ｂが前記第一のくわえ胴１３０と対向するとき、前記くわえ爪用カムフォロア１４４ｂが径方向外側から内側へ移動することにより、当該くわえ爪装置１４２ｂのくわえ爪が開放状態から閉鎖状態となり、上記第一のくわえ胴１３０の前記くわえ板装置１３１ｂからシートを受け取り保持して搬送する。
【０１２８】
そして、前記第二の上くわえ胴１４０は、前記くわえ爪装置１４２ｂが前記上搬送ベルト１６１と対向するとき、前記くわえ爪用カムフォロア１４４ｂが径方向内側から外側へ移動することにより、当該くわえ爪装置１４２ｂのくわえ爪が閉鎖状態から開放状態となり、当該くわえ爪装置１４２ｂから上記下搬送ベルト１６２へシートを受け渡す。
【０１２９】
なお、前記第一のくわえ胴１３０の前記くわえ板装置１３１ｃにおいては、当該第一のくわえ胴１３０の前記くわえ板装置１３１ａの場合と同様に作動し、前記第一のくわえ胴１３０の前記くわえ板装置１３１ｄにおいては、当該第一のくわえ胴１３０の前記くわえ板装置１３１ｂの場合と同様に作動し、前記第二の上くわえ胴１４０の前記くわえ爪装置１４２ｄにおいては、当該第二の上くわえ胴１４０の前記くわえ爪装置１４２ｂの場合と同様にして作動する。
【０１３０】
これにより、前記断裁待機胴１１０で一枚ずつ断裁されて前記第一のくわえ胴１３０で平行一回折りされたシートは、前記第二の上くわえ胴１４０と前記第二の下くわえ胴１５０とに交互に受け渡されて排出される。
【０１３１】
〈ノンコレクト／平行二回折り／上下排出〉
また、前記入力器１９１の前記入力部１９１ａ〜１９１ｃに、例えば、「ノンコレクト」、「平行二回折り」、「上下排出」をそれぞれ入力すると、前記制御装置１９０は、当該入力器１９１からの情報に基づいて、前述した下側排出の平行二回折りの場合と同様にして前記胴１２０，１３０，１４０，１５０の位相（周方向の位置）を調整するように前記駆動モータ１７１，１７２を作動させる。
【０１３２】
そして、前記制御装置１９０は、前述した下側排出の平行二回折りの場合と同様な位置に前記断裁待機胴１１０の前記針用カム１１５を位置付けるように前記駆動モータ１８１の作動を停止させると共に（図２参照）、前記胴１２０，１４０，１５０の前記カム１２６，１４７，１４８，１５６を位置付けるように前記アクチュエータ１８２，１８７〜１８９を作動させる（図２４，２８，３２参照）。
【０１３３】
他方、前記制御装置１９０は、前記第一のくわえ胴１３０の前記くわえ板用第一サブカム１３６Ａを前記第二の位置（下二回折り位置）Ｐ３６２に位置付けるように前記アクチュエータ１８３Ａを作動させると共に前記くわえ板用第二，三サブカム１３６Ｂ，１３６Ｃを前記第五の位置（上二回折り位置）Ｐ３６５に位置付けるように前記アクチュエータ１８３Ｂ，１８３Ｃを作動させ（図３６参照）、当該第一のくわえ胴１３０の前記折ブレード用メインカム１３７を前記第一の位置（折り有り位置）Ｐ３７１に位置付けるように前記アクチュエータ１８４を作動させ、前記折ブレード用第一サブカム１３８Ａを前記第一の位置（上折り無し位置）Ｐ３８１に位置付けるように前記アクチュエータ１８５Ａを作動させると共に前記折ブレード用第二サブカム１３８Ｂを前記第三の位置（下折り無し位置）Ｐ３８３に位置付けるように前記アクチュエータ１８５Ｂを作動させる（図３７参照）。
【０１３４】
さらに、前記制御装置１９０は、前記第二の上くわえ胴１４０の前記くわえ板用カム１４５を前記第一の位置（くわえ替え有り位置）Ｐ４５１に位置付けるように前記アクチュエータ１８６を作動させる（図３８参照）。
【０１３５】
このようにして前記胴１２０，１３０，１４０，１５０の位相及び前記カム１１５，１２６，１３６Ａ〜１３６Ｃ，１３７，１３８Ａ，１３８Ｂ，１４５，１４７，１４８，１５６の位置が設定された後、ウエブ１が前記断裁待機胴１１０と前記折胴１２０との間に送給されると、前述した下側排出の平行二回折りの場合と同様に、上記断裁待機胴１１０の前記断裁刃１１１ａ〜１１１ｃが、前記折胴１２０と対向するときに当該ウエブ１を断裁して一枚ずつのシートにした後、当該折胴１２０の前記針１２１ａに保持されたシートが、前述した下側排出の平行二回折りの場合と同様に、前記第一のくわえ胴１３０及び前記第二の下くわえ胴１５０を経由して前記下搬送ベルト１６２に平行二回折りの状態で排出される。
【０１３６】
そして、前記折胴１２０の前記針１２１ｂに保持されたシートは、前記針１２１ａに保持されたシートの場合と同様に、当該折胴１２０の上記針１２１ｂから前記第一のくわえ胴１３０の前記くわえ板装置１３１ｂに搬送方向中程を二つ折りにされた状態でくわえ替えされて搬送される。
【０１３７】
前記第一のくわえ胴１３０は、前記くわえ板装置１３１ｂが前記第二の上くわえ胴１４０と対向するとき、前記くわえ板用カムフォロア１３３ｂが径方向内側に位置したまま移動することにより、当該くわえ板装置１３１ｂのくわえ板を閉鎖させた状態、すなわち、当該くわえ板装置１３１ｂでシートを保持したまま通過させると共に、前記折ブレード１３２ｂが前記第二の上くわえ胴１４０と対向するとき、前記折ブレード用カムフォロア１３４ｂが当該第一のくわえ胴１３０の径方向内側へ移動することにより、当該第一のくわえ胴１３０の外周面よりも径方向外側へ突出して、前記くわえ板装置１３１ｂに二つ折り状態で保持されている前記シートの搬送方向中程を幅方向全長にわたって押し出すと共に、上記くわえ板用カムフォロア１３３ｂが径方向外側へ移動することにより、当該くわえ板装置１３１ｂのくわえ板が開放状態となる。
【０１３８】
このとき、前記第二の上くわえ胴１４０の前記くわえ板装置１４１ｂが前記第一のくわえ胴１３０に対向して、当該第二の上くわえ胴１４０の前記くわえ板用カムフォロア１４３ｂが当該第二の上くわえ胴１４０の径方向外側から内側へ移動することにより、当該くわえ板装置１４１ｂのくわえ板が開放状態から閉鎖状態に移行するため、上記第一のくわえ胴１３０の前記折ブレード１３２ｂで中程を突出された二つ折りの前記シートの当該中程が当該第二の上くわえ胴１４０の当該くわえ板装置１４１ｂの内部に差し込まれて当該くわえ板装置１４１ｂに保持、すなわち、上記第一のくわえ胴１３０から四つ折りにされた状態で当該シートが上記第二の上くわえ胴１４０にくわえ替えされて保持搬送される。
【０１３９】
そして、前記第二の上くわえ胴１４０は、前記くわえ板装置１４１ｂが前記上搬送ベルト１６１と対向するとき、前記くわえ板用カムフォロア１４３ｂが径方向内側から外側へ移動することにより、当該くわえ板装置１４１ｂのくわえ板が閉鎖状態から開放状態となり、上記上搬送ベルト１６１へシートを受け渡す。
【０１４０】
なお、前記第一のくわえ胴１３０の前記くわえ板装置１３１ｃにおいては、当該第一のくわえ胴１３０の前記くわえ板装置１３１ａの場合と同様に作動し、前記第一のくわえ胴１３０の前記くわえ板装置１３１ｄにおいては、当該第一のくわえ胴１３０の前記くわえ板装置１３１ｂの場合と同様に作動し、前記第一のくわえ胴１３０の前記折ブレード１３２ｃにおいては、当該第一のくわえ胴１３０の前記折ブレード１３２ａの場合と同様に作動し、前記第一のくわえ胴１３０の前記折ブレード１３２ｄにおいては、当該第一のくわえ胴１３０の前記折ブレード１３２ｂの場合と同様に作動し、前記第二の上くわえ胴１４０の前記くわえ板装置１４１ｄにおいては、当該第二の上くわえ胴１４０の前記くわえ板装置１４１ｂの場合と同様にして作動する。
【０１４１】
これにより、前記断裁待機胴１１０で一枚ずつ断裁されて前記第一のくわえ胴１３０で平行一回折りされたシートは、前記第二の上くわえ胴１４０と前記第二の下くわえ胴１５０とに交互に受け渡されると同時に平行二回折りされて排出される。
【０１４２】
〈ノンコレクト／デルタ折り／上下排出〉
また、前記入力器１９１の前記入力部１９１ａ〜１９１ｃに、例えば、「ノンコレクト」、「デルタ折り」、「上下排出」をそれぞれ入力すると、前記制御装置１９０は、当該入力器１９１からの情報に基づいて、前述した下側排出のデルタ折りの場合と同様にして前記胴１２０，１３０，１４０，１５０の位相（周方向の位置）を調整するように前記駆動モータ１７１，１７２を作動させる。
【０１４３】
そして、前記制御装置１９０は、前述した下側排出のデルタ折りの場合と同様な位置に前記断裁待機胴１１０の前記針用カム１１５を位置付けるように前記駆動モータ１８１の作動を停止させると共に（図２参照）、前記胴１２０，１４０，１５０の前記カム１２６，１４７，１４８，１５６を位置付けるように前記アクチュエータ１８２，１８７〜１８９を作動させ（図２４，２８，３２参照）、前述した上下排出の平行二回折りの場合と同様な位置に前記胴１３０，１４０の前記カム１３７，１３８Ａ，１３８Ｂ，１４５を位置付けるように前記アクチュエータ１８４〜１８６を作動させる（図３７，３８参照）。
【０１４４】
他方、前記制御装置１９０は、前記第一のくわえ胴１３０の前記くわえ板用第一サブカム１３６Ａを前記第三の位置（下デルタ折り位置）Ｐ３６３に位置付けるように前記アクチュエータ１８３Ａを作動させると共に前記くわえ板用第二，三サブカム１３６Ｂ，１３６Ｃを前記第六の位置（上デルタ折り位置）Ｐ３６６に位置付けるように前記アクチュエータ１８３Ｂ，１８３Ｃを作動させる（図３９参照）。
【０１４５】
このようにして前記胴１２０，１３０，１４０，１５０の位相及び前記カム１１５，１２６，１３６Ａ〜１３６Ｃ，１３７，１３８Ａ，１３８Ｂ，１４５，１４７，１４８，１５６の位置が設定された後、ウエブ１が前記断裁待機胴１１０と前記折胴１２０との間に送給されると、前述した下側排出のデルタ折りの場合と同様に、上記断裁待機胴１１０の前記断裁刃１１１ａ〜１１１ｃが、前記折胴１２０と対向するときに当該ウエブ１を断裁して一枚ずつのシートにした後、当該折胴１２０の前記針１２１ａに保持されたシートが、前述した下側排出のデルタ折りの場合と同様に、前記第一のくわえ胴１３０及び前記第二の下くわえ胴１５０を経由して前記下搬送ベルト１６２にデルタ折りの状態で排出される。
【０１４６】
そして、前記折胴１２０の前記針１２１ｂに保持されたシートは、前記針１２１ａに保持されたシートの場合と同様に、当該折胴１２０の上記針１２１ｂから前記第一のくわえ胴１３０の前記くわえ板装置１３１ｂに搬送方向中程よりも上流側を二つ折りにされた状態でくわえ替えされて搬送される。
【０１４７】
前記第一のくわえ胴１３０は、前述した上下排出の平行二回折りの場合と同様に、前記くわえ板装置１３１ｂが前記第二の上くわえ胴１４０と対向するとき、当該くわえ板装置１３１ｂのくわえ板を閉鎖させた状態、すなわち、当該くわえ板装置１３１ｂでシートを保持したまま通過させると共に、前記折ブレード１３２ｂが前記第二の上くわえ胴１４０と対向するとき、当該第一のくわえ胴１３０の外周面よりも径方向外側へ突出して、前記くわえ板装置１３１ｂに搬送方向中程よりも上流側を二つ折りにされて保持されている前記シートの搬送方向中程よりも下流側を幅方向全長にわたって押し出すと共に、当該くわえ板装置１３１ｂのくわえ板が開放状態となる。
【０１４８】
このとき、前述した上下排出の平行二回折りの場合と同様に、前記第二の上くわえ胴１４０の前記くわえ板装置１４１ｂが前記第一のくわえ胴１３０に対向して、当該くわえ板装置１４１ｂのくわえ板が開放状態から閉鎖状態に移行するため、上記第一のくわえ胴１３０の前記折ブレード１３２ｂで搬送方向中程よりも下流側を突出された二つ折りの前記シートの当該搬送方向中程よりも下流側が当該第二の上くわえ胴１４０の当該くわえ板装置１４１ｂの内部に差し込まれて当該くわえ板装置１４１ｂに保持、すなわち、上記第一のくわえ胴１３０からデルタ折りにされた状態で当該シートが上記第二の上くわえ胴１４０にくわえ替えされて保持搬送される。
【０１４９】
そして、前記第二の上くわえ胴１４０は、前述した上下排出の平行二回折りの場合と同様に、前記くわえ板装置１４１ｂが前記上搬送ベルト１６１と対向するとき、当該くわえ板装置１４１ｂのくわえ板が閉鎖状態から開放状態となり、上記上搬送ベルト１６１へシートを受け渡す。
【０１５０】
なお、前記第一のくわえ胴１３０の前記くわえ板装置１３１ｃにおいては、当該第一のくわえ胴１３０の前記くわえ板装置１３１ａの場合と同様に作動し、前記第一のくわえ胴１３０の前記くわえ板装置１３１ｄにおいては、当該第一のくわえ胴１３０の前記くわえ板装置１３１ｂの場合と同様に作動する。
【０１５１】
これにより、前記断裁待機胴１１０で一枚ずつ断裁されて前記第一のくわえ胴１３０で搬送方向中程よりも上流側を平行一回折りされたシートは、前記第二の上くわえ胴１４０と前記第二の下くわえ胴１５０とに交互に受け渡されると同時に搬送方向中程よりも下流側を平行一回折りされることによりデルタ折りとなって排出される。
【０１５２】
〈コレクト／平行一回折り／下側排出〉
また、前記入力器１９１の前記入力部１９１ａ〜１９１ｃに、例えば、「コレクト」、「平行一回折り」、「下側排出」をそれぞれ入力すると、前記制御装置１９０は、当該入力器１９１からの情報に基づいて、前述したノンコレクトの平行一回折りの場合と同様に、前記駆動モータ１７１，１７２を作動させて前記胴１２０，１３０，１４０，１５０の位相（周方向の位置）を調整する。
【０１５３】
そして、前記制御装置１９０は、前述した下側排出の平行一回折りの場合と同様な位置に前記胴１３０，１４０，１５０の前記カム１３６Ａ〜１３６Ｃ，１３７，１３８Ａ，１３８Ｂ，１４５，１４７，１４８，１５６を位置付けるように前記アクチュエータ１８３Ａ〜１８３Ｃ，１８４〜１８９を作動させる（図２５〜２９参照）。
【０１５４】
他方、前記制御装置１９０は、前記折胴１２０の前記針用サブカム１２６を前記第二の位置（コレクト位置）Ｐ２６２に位置付けるように前記アクチュエータ１８２を作動させると共に（図４０参照）、前記断裁待機胴１１０の前記針用カム１１５を当該断裁待機胴１１０の回転周期の１．５倍の回転周期で回転させるように前記駆動モータ１８１を作動させる。
【０１５５】
このようにして前記胴１２０，１３０，１４０，１５０の位相及び前記カム１２６，１３６Ａ〜１３６Ｃ，１３７，１３８Ａ，１３８Ｂ，１４５，１４７，１４８，１５６の位置が設定されると共に前記カム１１５が回転し、ウエブ１が前記断裁待機胴１１０と前記折胴１２０との間に送給されると、前記折胴１２０の前記針１２１ａ，１２１ｃにシートが保持されることなく前記針１２１ｂ，１２１ｄのみにシートが二枚重ねられたコレクト状態で保持される（詳細には前記特許文献１参照）。
【０１５６】
前記折胴１２０の前記針１２１ｂ，１２１ｄに保持された二枚重ねのシートは、前述したノンコレクトの平行一回折りの下側排出の場合と同様にして前記第一くわえ胴１３０及び前記第二の下くわえ胴１５０を経由することにより、コレクト状態で平行一回折りされて前記下搬送ベルト１６２に排出される。
【０１５７】
〈コレクト／平行二回折り／下側排出〉
また、前記入力器１９１の前記入力部１９１ａ〜１９１ｃに、例えば、「コレクト」、「平行二回折り」、「下側排出」をそれぞれ入力すると、前記制御装置１９０は、当該入力器１９１からの情報に基づいて、前述したノンコレクトの平行二回折りの場合と同様に、前記駆動モータ１７１，１７２を作動させて前記胴１２０，１３０，１４０，１５０の位相（周方向の位置）を調整する。
【０１５８】
そして、前記制御装置１９０は、前述した下側排出の平行二回折りの場合と同様な位置に前記胴１３０，１４０，１５０の前記カム１３６Ａ〜１３６Ｃ，１３７，１３８Ａ，１３８Ｂ，１４５，１４７，１４８，１５６を位置付けるように前記アクチュエータ１８３Ａ〜１８３Ｃ，１８４〜１８９を作動させると共に（図２７，２８，３０〜３２参照）、前述したコレクトの平行一回折りの場合と同様な位置に前記折胴１２０の前記針用サブカム１２６を位置付けるように前記アクチュエータ１８２を作動させる（図４０参照）。
【０１５９】
さらに、前記制御装置１９０は、前述したコレクトの平行一回折りの場合と同様に、前記断裁待機胴１１０の前記針用カム１１５を当該断裁待機胴１１０の回転周期の１．５倍の回転周期で回転させるように前記駆動モータ１８１を作動させる。
【０１６０】
このようにして前記胴１２０，１３０，１４０，１５０の位相及び前記カム１２６，１３６Ａ〜１３６Ｃ，１３７，１３８Ａ，１３８Ｂ，１４５，１４７，１４８，１５６の位置が設定されると共に前記カム１１５が回転し、ウエブ１が前記断裁待機胴１１０と前記折胴１２０との間に送給されると、前述したコレクトの平行一回折りの場合と同様に、前記折胴１２０の前記針１２１ａ，１２１ｃにシートが保持されることなく前記針１２１ｂ，１２１ｄのみにシートが二枚重ねられたコレクト状態で保持される。
【０１６１】
前記折胴１２０の前記針１２１ｂ，１２１ｄに保持された二枚重ねのシートは、前述したノンコレクトの平行二回折りの下側排出の場合と同様にして前記第一くわえ胴１３０及び前記第二の下くわえ胴１５０を経由することにより、コレクト状態で平行二回折りされて前記下搬送ベルト１６２に排出される。
【０１６２】
〈コレクト／デルタ折り／下側排出〉
また、前記入力器１９１の前記入力部１９１ａ〜１９１ｃに、例えば、「コレクト」、「デルタ折り」、「下側排出」をそれぞれ入力すると、前記制御装置１９０は、当該入力器１９１からの情報に基づいて、前述したノンコレクトのデルタ折りの場合と同様に、前記駆動モータ１７１，１７２を作動させて前記胴１２０，１３０，１４０，１５０の位相（周方向の位置）を調整する。
【０１６３】
そして、前記制御装置１９０は、前述した下側排出のデルタ折りの場合と同様な位置に前記胴１３０，１４０，１５０の前記カム１３６Ａ〜１３６Ｃ，１３７，１３８Ａ，１３８Ｂ，１４５，１４７，１４８，１５６を位置付けるように前記アクチュエータ１８３Ａ〜１８３Ｃ，１８４〜１８９を作動させると共に（図２７，２８，３１〜３３参照）、前述したコレクトの平行一回折り及び平行二回折りの場合と同様な位置に前記折胴１２０の前記針用サブカム１２６を位置付けるように前記アクチュエータ１８２を作動させる（図４０参照）。
【０１６４】
さらに、前記制御装置１９０は、前述したコレクトの平行一回折り及び平行二回折りの場合と同様に、前記断裁待機胴１１０の前記針用カム１１５を当該断裁待機胴１１０の回転周期の１．５倍の回転周期で回転させるように前記駆動モータ１８１を作動させる。
【０１６５】
このようにして前記胴１２０，１３０，１４０，１５０の位相及び前記カム１２６，１３６Ａ〜１３６Ｃ，１３７，１３８Ａ，１３８Ｂ，１４５，１４７，１４８，１５６の位置が設定されると共に前記カム１１５が回転し、ウエブ１が前記断裁待機胴１１０と前記折胴１２０との間に送給されると、前述したコレクトの平行一回折り及び平行二回折りの場合と同様に、前記折胴１２０の前記針１２１ａ，１２１ｃにシートが保持されることなく前記針１２１ｂ，１２１ｄのみにシートが二枚重ねられたコレクト状態で保持される。
【０１６６】
前記折胴１２０の前記針１２１ｂ，１２１ｄに保持された二枚重ねのシートは、前述したノンコレクトのデルタ折りの下側排出の場合と同様にして前記第一くわえ胴１３０及び前記第二の下くわえ胴１５０を経由することにより、コレクト状態でデルタ折りされて前記下搬送ベルト１６２に排出される。
【０１６７】
〈コレクト／平行一回折り／上側排出〉
また、前記入力器１９１の前記入力部１９１ａ〜１９１ｃに、例えば、「コレクト」、「平行一回折り」、「上側排出」をそれぞれ入力すると、前記制御装置１９０は、当該入力器１９１からの情報に基づいて、前述した他の平行一回折りの場合と同様に、前記駆動モータ１７１，１７２を作動させて前記胴１２０，１３０，１４０，１５０の位相（周方向の位置）を調整する。
【０１６８】
そして、前記制御装置１９０は、前述したノンコレクトの平行一回折りの上下排出の場合と同様な位置に前記胴１３０，１４０，１５０の前記カム１３６Ａ〜１３６Ｃ，１３７，１３８Ａ，１３８Ｂ，１４５，１４７，１４８，１５６を位置付けるように前記アクチュエータ１８３Ａ〜１８３Ｃ，１８４〜１８９を作動させると共に（図２５〜２９参照）、前述したコレクトの下側排出の場合と同様な位置に前記折胴１２０の前記針用サブカム１２６を位置付けるように前記アクチュエータ１８２を作動させる（図４０参照）。
【０１６９】
さらに、前記制御装置１９０は、前述したコレクトの下側排出の場合と同様に、前記断裁待機胴１１０の前記針用カム１１５を当該断裁待機胴１１０の回転周期の１．５倍の回転周期で回転させるように前記駆動モータ１８１を作動させる。
【０１７０】
このようにして前記胴１２０，１３０，１４０，１５０の位相及び前記カム１２６，１３６Ａ〜１３６Ｃ，１３７，１３８Ａ，１３８Ｂ，１４５，１４７，１４８，１５６の位置が設定されると共に前記カム１１５が回転し、ウエブ１が前記断裁待機胴１１０と前記折胴１２０との間に送給されると、前述したコレクトの平行一回折りの下側排出の場合と同様に、前記折胴１２０の前記針１２１ａ，１２１ｃにシートが保持されることなく前記針１２１ｂ，１２１ｄのみにシートが二枚重ねられたコレクト状態で保持される。
【０１７１】
前記折胴１２０の前記針１２１ｂ，１２１ｄに保持された二枚重ねのシートは、前述したノンコレクトの平行一回折りの上下排出の場合と同様にして前記第一のくわえ胴１３０及び前記第二の上くわえ胴１４０を経由することにより、コレクト状態で平行一回折りされて前記上搬送ベルト１６１に排出される。
【０１７２】
ここで、前記第二の下くわえ胴１５０は、前記くわえ爪装置１５２ａ〜１５２ｃが前記第一のくわえ胴１３０と対向するとき、当該第一のくわえ胴１３０のすべての前記くわえ板装置１３４ａ〜１３４ｄがシートを保持していないので、当該第一のくわえ胴１３０からシートを受け取ることがない。
【０１７３】
〈コレクト／平行二回折り／上側排出〉
また、前記入力器１９１の前記入力部１９１ａ〜１９１ｃに、例えば、「コレクト」、「平行二回折り」、「上側排出」をそれぞれ入力すると、前記制御装置１９０は、当該入力器１９１からの情報に基づいて、前述した他の平行二回折りの場合と同様に、前記駆動モータ１７１，１７２を作動させて前記胴１２０，１３０，１４０，１５０の位相（周方向の位置）を調整する。
【０１７４】
そして、前記制御装置１９０は、前述したノンコレクトの平行二回折りの上下排出の場合と同様な位置に前記胴１３０，１４０，１５０の前記カム１３６Ａ〜１３６Ｃ，１３７，１３８Ａ，１３８Ｂ，１４５，１４７，１４８，１５６を位置付けるように前記アクチュエータ１８３Ａ〜１８３Ｃ，１８４〜１８９を作動させると共に（図２７，２８，３０〜３２参照）、前述したコレクトの下側排出の場合と同様な位置に前記折胴１２０の前記針用サブカム１２６を位置付けるように前記アクチュエータ１８２を作動させる（図４０参照）。
【０１７５】
さらに、前記制御装置１９０は、前述したコレクトの下側排出の場合と同様に、前記断裁待機胴１１０の前記針用カム１１５を当該断裁待機胴１１０の回転周期の１．５倍の回転周期で回転させるように前記駆動モータ１８１を作動させる。
【０１７６】
このようにして前記胴１２０，１３０，１４０，１５０の位相及び前記カム１２６，１３６Ａ〜１３６Ｃ，１３７，１３８Ａ，１３８Ｂ，１４５，１４７，１４８，１５６の位置が設定されると共に前記カム１１５が回転し、ウエブ１が前記断裁待機胴１１０と前記折胴１２０との間に送給されると、前述したコレクトの平行二回折りの下側排出の場合と同様に、前記折胴１２０の前記針１２１ａ，１２１ｃにシートが保持されることなく前記針１２１ｂ，１２１ｄのみにシートが二枚重ねられたコレクト状態で保持される。
【０１７７】
前記折胴１２０の前記針１２１ｂ，１２１ｄに保持された二枚重ねのシートは、前述したノンコレクトの平行二回折りの上下排出の場合と同様にして前記第一のくわえ胴１３０及び前記第二の上くわえ胴１４０を経由することにより、コレクト状態で平行二回折りされて前記上搬送ベルト１６１に排出される。
【０１７８】
ここで、前記第二の下くわえ胴１５０は、前記くわえ爪装置１５２ａ〜１５２ｃが前記第一のくわえ胴１３０と対向するとき、当該第一のくわえ胴１３０のすべての前記くわえ板装置１３４ａ〜１３４ｄがシートを保持していないので、当該第一のくわえ胴１３０からシートを受け取ることがない。
【０１７９】
〈コレクト／デルタ折り／上側排出〉
また、前記入力器１９１の前記入力部１９１ａ〜１９１ｃに、例えば、「コレクト」、「デルタ折り」、「上側排出」をそれぞれ入力すると、前記制御装置１９０は、当該入力器１９１からの情報に基づいて、前述した他のデルタ折りの場合と同様に、前記駆動モータ１７１，１７２を作動させて前記胴１２０，１３０，１４０，１５０の位相（周方向の位置）を調整する。
【０１８０】
そして、前記制御装置１９０は、前述したノンコレクトのデルタ折りの上下排出の場合と同様な位置に前記胴１３０，１４０，１５０の前記カム１３６Ａ〜１３６Ｃ，１３７，１３８Ａ，１３８Ｂ，１４５，１４７，１４８，１５６を位置付けるように前記アクチュエータ１８３Ａ〜１８３Ｃ，１８４〜１８９を作動させると共に（図２８，３２，３７〜３９参照）、前述したコレクトの下側排出の場合と同様な位置に前記折胴１２０の前記針用サブカム１２６を位置付けるように前記アクチュエータ１８２を作動させる（図４０参照）。
【０１８１】
さらに、前記制御装置１９０は、前述したコレクトの下側排出の場合と同様に、前記断裁待機胴１１０の前記針用カム１１５を当該断裁待機胴１１０の回転周期の１．５倍の回転周期で回転させるように前記駆動モータ１８１を作動させる。
【０１８２】
このようにして前記胴１２０，１３０，１４０，１５０の位相及び前記カム１２６，１３６Ａ〜１３６Ｃ，１３７，１３８Ａ，１３８Ｂ，１４５，１４７，１４８，１５６の位置が設定されると共に前記カム１１５が回転し、ウエブ１が前記断裁待機胴１１０と前記折胴１２０との間に送給されると、前述したコレクトのデルタ折りの下側排出の場合と同様に、前記折胴１２０の前記針１２１ａ，１２１ｃにシートが保持されることなく前記針１２１ｂ，１２１ｄのみにシートが二枚重ねられたコレクト状態で保持される。
【０１８３】
前記折胴１２０の前記針１２１ｂ，１２１ｄに保持された二枚重ねのシートは、前述したノンコレクトのデルタ折りの上下排出の場合と同様にして前記第一のくわえ胴１３０及び前記第二の上くわえ胴１４０を経由することにより、コレクト状態でデルタ折りされて前記上搬送ベルト１６１に排出される。
【０１８４】
ここで、前記第二の下くわえ胴１５０は、前記くわえ爪装置１５２ａ〜１５２ｃが前記第一のくわえ胴１３０と対向するとき、当該第一のくわえ胴１３０のすべての前記くわえ板装置１３４ａ〜１３４ｄがシートを保持していないので、当該第一のくわえ胴１３０からシートを受け取ることがない。
【０１８５】
このように、本実施形態に係る折機１００によれば、一枚のシート（ノンコレクト）又は複数枚重ねたシート（コレクト）を折った折丁を上搬送ベルト１６１と下搬送ベルト１６２とのいずれか一方のみに排出することができると共に上搬送ベルト１６１と下搬送ベルト１６２とに交互に振り分けて排出することが、平行一回折りだけでなく、平行二回折り及びデルタ折りのような二回折りでも実施することができる。
【０１８６】
したがって、本実施形態に係る折機１００においては、上側排出、下側排出、上下排出を使い分けて、上側搬送経路と下側搬送経路との状態を均等にすることが容易にできるので、上側搬送経路と下側搬送経路とのベルト等の消耗品の交換頻度を揃えて低減することが容易にできる。このため、ランニングコストの低減を図ることができると共に、保守点検作業等を効率よく実施することができ、生産性を大きく向上させることができる。
【０１８７】
また、上側と下側とで交互に排出することにより、排出された折丁を積み上げて縛り付けるスタッカバンドラに高度な処理能力が不要となるので、イニシャルコストの低減も図ることができる。
【０１８８】
また、前記第二の下くわえ胴１５０が、前記第二の上くわえ胴１４０等のように四倍胴ではなく三倍胴であるので、コンパクト化を図ることができると共に、低コスト化を図ることができる。
【０１８９】
［他の実施形態］
なお、前述した実施形態では、二組のくわえ板装置１４１ｂ，１４１ｄ及びくわえ爪装置１４２ｂ，１４２ｄを具えた第二の上くわえ胴１４０を適用した場合について説明したが、他の実施形態として、例えば、四組のくわえ板装置及びくわえ爪装置を具えた第二の上くわえ胴を適用すれば、図４１に示すように、前記第一のくわえ胴１３０の前記折ブレード用メインカム１３７を前記第一の位置（折り有り位置）Ｐ３７１に位置付けるように前記アクチュエータ１８４を作動させると共に、前記折ブレード用第一，二サブカム１３８Ａ，１３８Ｂを前記第三の位置（下折り無し位置）Ｐ３８３に位置付けるように前記制御装置１９０で前記アクチュエータ１８５Ａ，１８５Ｂを作動させる一方、図４２〜４４に示すように、前記第一のくわえ胴１３０の前記くわえ板用第一〜三サブカム１３６Ａ〜１３６Ｃを一体的に、前記第四の位置（上一回折り位置）Ｐ３６４、前記第五の位置（上二回折り位置）Ｐ３６５、前記第六の位置（上デルタ折り位置）Ｐ３６５のいずれかに位置付けるように前記制御装置１９０で前記アクチュエータ１８３Ａ〜１８３Ｃを作動させることにより、各折仕様でノンコレクトの上側排出を行うことが可能となる。
【産業上の利用可能性】
【０１９０】
本発明に係る折機は、一枚のシート（ノンコレクト）又は複数枚重ねたシート（コレクト）を二回折りした折丁を上側搬送経路と下側搬送経路とのいずれか一方や上側搬送経路と下側搬送経路とに交互に振り分けて排出することができるので、印刷産業を始めとする各種産業において、極めて有益に利用することができる。
【符号の説明】
【０１９１】
１  ウエブ
１００  折機
１１０  断裁待機胴
１１１ａ〜１１１ｃ  断裁刃
１１２ａ〜１１２ｃ  針
１１３ａ〜１１３ｃ  針用カムフォロア
１１５  針用カム
１１５ａ  カム面
１２０  折胴
１２０Ａ  第一の胴本体
１２０Ｂ  第二の胴本体
１２１ａ〜１２１ｄ  針
１２２ａ〜１２２ｄ  折ブレード
１２３〜１２３ｄ  針用カムフォロア
１２４ａ〜１２４ｄ  折ブレード用カムフォロア
１２５  針用メインカム
１２５ａ  カム面
１２６  針用サブカム
１２６ａ  カム面
１２７  折ブレード用カム
１２７ａ  カム面
１３０  第一のくわえ胴
１３０Ａ  第一の胴本体
１３０Ｂ  第二の胴本体
１３１ａ〜１３１ｄ  くわえ板装置
１３２ａ〜１３２ｄ  折ブレード
１３３ａ〜１３３ｄ  くわえ板用カムフォロア
１３４ａ〜１３４ｄ  折ブレード用カムフォロア
１３５  くわえ板用メインカム
１３５ａ  カム面
１３６Ａ  くわえ板用第一サブカム
１３６Ａａ  カム面
１３６Ｂ  くわえ板用第二サブカム
１３６Ｂａ  カム面
１３６Ｃ  くわえ板用第三サブカム
１３６Ｃａ  カム面
１３７  折ブレード用メインカム
１３７ａ  カム面
１３８Ａ  折ブレード用第一サブカム
１３８Ａａ  カム面
１３８Ｂ  折ブレード用第二サブカム
１３８Ｂａ  カム面
１４０  第二の上くわえ胴
１４１ｂ，１４１ｄ  くわえ板装置
１４２ｂ，１４２ｄ  くわえ爪装置
１４３ｂ，１４３ｄ  くわえ板用カムフォロア
１４４ｂ，１４４ｄ  くわえ爪用カムフォロア
１４５  くわえ板用カム
１４５ａ  カム面
１４７  くわえ爪用メインカム
１４７ａ  カム面
１４８  くわえ爪用サブカム
１４８ａ  カム面
１５０  第二の下くわえ胴
１５１ａ〜１５１ｃ  くわえ板装置
１５２ａ〜１５２ｃ  くわえ爪装置
１５３ａ〜１５３ｃ  くわえ板用カムフォロア
１５４ａ〜１５４ｃ  くわえ爪用カムフォロア
１５５  くわえ板用メインカム
１５５ａ  カム面
１５６  くわえ板用サブカム
１５６ａ  カム面
１５７  くわえ爪用カム
１５７ａ  カム面
１６１  上搬送ベルト
１６２  下搬送ベルト
１７１，１７２，１８１  駆動モータ
１８２〜１８９  アクチュエータ
１９０  制御装置
１９１  入力器
１９１ａ  枚数入力部
１９１ｂ  搬送経路入力部
１９１ｃ  折仕様入力部
【図１】
2015209292.tif 000003
【図２】
2015209292.tif 000004
【図３】
2015209292.tif 000005
【図４】
2015209292.tif 000006
【図５】
2015209292.tif 000007
【図６】
2015209292.tif 000008
【図７】
2015209292.tif 000009
【図８】
2015209292.tif 000010
【図９】
2015209292.tif 000011
【図１０】
2015209292.tif 000012
【図１１】
2015209292.tif 000013
【図１２】
2015209292.tif 000014
【図１３】
2015209292.tif 000015
【図１４】
2015209292.tif 000016
【図１５】
2015209292.tif 000017
【図１６】
2015209292.tif 000018
【図１７】
2015209292.tif 000019
【図１８】
2015209292.tif 000020
【図１９】
2015209292.tif 000021
【図２０】
2015209292.tif 000022
【図２１】
2015209292.tif 000023
【図２２】
2015209292.tif 000024
【図２３】
2015209292.tif 000025
【図２４】
2015209292.tif 000026
【図２５】
2015209292.tif 000027
【図２６】
2015209292.tif 000028
【図２７】
2015209292.tif 000029
【図２８】
2015209292.tif 000030
【図２９】
2015209292.tif 000031
【図３０】
2015209292.tif 000032
【図３１】
2015209292.tif 000033
【図３２】
2015209292.tif 000034
【図３３】
2015209292.tif 000035
【図３４】
2015209292.tif 000036
【図３５】
2015209292.tif 000037
【図３６】
2015209292.tif 000038
【図３７】
2015209292.tif 000039
【図３８】
2015209292.tif 000040
【図３９】
2015209292.tif 000041
【図４０】
2015209292.tif 000042
【図４１】
2015209292.tif 000043
【図４２】
2015209292.tif 000044
【図４３】
2015209292.tif 000045
【図４４】
2015209292.tif 000046